(57)【要約】【課題】本発明は、ワイヤレス通信ネットワークとワイヤレス機器との間のワイヤレス通信の方法を提供する。【解決手段】方法は、ワイヤレス通信ネットワークの第１のノードを、ユーザー機器のためのサービングノードとして選択すること、ユーザー機器とワイヤレス通信ネットワークとの間の第１の方向の伝送のためにサービングノードを使うこと、ワイヤレス通信ネットワークの第２のノードを、補助ノードとして選択すること、およびワイヤレス通信ネットワークとユーザー機器との間の第２の方向の伝送のために補助ノードを使うことを含む。【選択図】図４
2011193466.tif 000002
【特許請求の範囲】
【請求項１】
ワイヤレス通信ネットワークとワイヤレスユーザー機器との間のワイヤレス通信の方法であって、該方法は、
該ワイヤレス通信ネットワークの第１のノードを、該ユーザー機器のためのサービングノードとして選択することと、
該ユーザー機器と該ワイヤレス通信ネットワークとの間の第１の方向の伝送のために該サービングノードを使うことと、
該ワイヤレス通信ネットワークの第２のノードを、補助ノードとして選択することと、
該ワイヤレス通信ネットワークと該ユーザー機器との間の第２の方向の伝送のために該補助ノードを使うことと
を含む、方法。
【請求項２】
前記第１のノードおよび前記第２のノードは、Ｅ−ＵＴＲＡＮ  Ｎｏｄｅ  Ｂノード、中継ノード、および他の低電力伝送ノードからなるワイヤレス通信ネットワークの群より選択されたワイヤレス通信ネットワークノードである、請求項１に記載の方法。
【請求項３】
前記第２のノードを選択することは、前記サービングノードより強いアップリンク信号を前記ユーザー機器から受信する前記ワイヤレス通信ネットワークの第２のノードを、前記補助ノードとして選択することを含み、
前記第１の方向の伝送は、該サービングノードから該ユーザー機器へのダウンリンク伝送であり、
前記第２の方向の伝送は、該ユーザー機器から該補助ノードへのアップリンク伝送である、請求項１に記載の方法。
【請求項４】
前記ワイヤレス通信ネットワークの第２のノードを補助ノードとして選択することは、該ワイヤレス通信ネットワークの複数のノードを、アップリンク補助ノードセットを形成する複数のアップリンク補助ノードとして選択することを含み、
前記ユーザー機器から該ワイヤレス通信ネットワークへのアップリンク伝送のための該補助ノードを使うことは、該アップリンク補助ノードセットの複数の該アップリンク補助ノードによって該ユーザー機器からのアップリンク伝送を受信することを含む、請求項３に記載の方法。
【請求項５】
前記ワイヤレス通信ネットワークと前記ユーザー機器との間の伝送のために前記補助ノードを使うことは、
該補助ノードによって、該ユーザー機器からのアップリンク伝送データを受信することと、
該補助ノードから前記サービングノードへ該受信されたアップリンク伝送データを送信することと
を含む、請求項３に記載の方法。
【請求項６】
前記ワイヤレス通信ネットワークと前記ユーザー機器との間の伝送のために前記補助ノードを使うことは、前記サービングノードから該補助ノードへアップリンクスケジュールパラメーターを送信することを含む、請求項３に記載の方法。
【請求項７】
前記サービングノードによる前記第２の方向の伝送のためのワイヤレス通信リンクのパラメーターを適応することをさらに含む、請求項１に記載の方法。
【請求項８】
前記第２の方向の伝送のための再伝送統計を決定することと、該決定された再伝送統計に基づいて、該第２の方向の伝送のための前記ワイヤレス通信リンクのパラメーターを適応することとを含む、請求項７に記載の方法。
【請求項９】
前記第１の方向の伝送は、前記ユーザー機器から前記サービングノードへのアップリンク伝送であり、
前記第２の方向の伝送は、前記補助ノードから該ユーザー機器へのダウンリンク伝送である、請求項１に記載の方法。
【請求項１０】
ユーザー機器とのワイヤレス通信のための通信ネットワークであって、該通信ネットワークは、
該ユーザー機器と該ワイヤレス通信ネットワークとの間の第１の方向の伝送のために適応され、補助ノードを選択するように適応されるサービングノードと、
補助ノードであって、該補助ノードが、該サービングノードによって選択され、および該ワイヤレス通信ネットワークと該ユーザー機器との間の第２の方向の伝送のために適応される補助ノードと
を含む、通信ネットワーク。
【請求項１１】
前記サービングノードおよび前記補助ノードは、Ｅ−ＵＴＲＡＮ  Ｎｏｄｅ  Ｂノード、中継ノード、および他の低電力伝送ノードからなるワイヤレス通信ネットワークの群より選択されたワイヤレス通信ネットワークノードである、請求項１０に記載の通信ネットワーク。
【請求項１２】
前記補助ノードは、前記サービングノードより強いアップリンク信号を前記ユーザー機器から受信し、
前記第１の方向の伝送は、該サービングノードから該ユーザー機器へのダウンリンク伝送であり、
前記第２の方向の伝送は、該ユーザー機器から該補助ノードへのアップリンク伝送である、請求項１０に記載の通信ネットワーク。
【請求項１３】
前記サービングノードは、さらに、前記ワイヤレス通信ネットワークの複数のノードを、アップリンク補助ノードセットを形成する複数のアップリンク補助ノードとして選択するように適応され、
該アップリンク補助ノードセットの該複数のノードの各々は、前記ユーザー機器からのアップリンク伝送を受信するように適応される、請求項１２に記載の通信ネットワーク。
【請求項１４】
前記補助ノードは、前記ユーザー機器からのアップリンク伝送データを受信し、該補助ノードから前記サービングノードへ該受信されたアップリンク伝送データを送信するように適応される、請求項１２に記載の通信ネットワーク。
【請求項１５】
前記サービングノードは、該サービングノードから前記補助ノードへアップリンクスケジュールパラメーターを送信するように適応される、請求項１２に記載の通信ネットワーク。
【請求項１６】
前記サービングノードは、前記第２の方向の伝送のためのワイヤレス通信リンクのパラメーターを適応するように適応される、請求項１０に記載の通信ネットワーク。
【請求項１７】
前記サービングノードは、前記第２の方向の伝送のための再伝送統計を決定し、該決定された再伝送統計に基づいて、該第２の方向の伝送のための前記ワイヤレス通信リンクのパラメーターを適応するように適応される、請求項１６に記載の通信ネットワーク。
【請求項１８】
前記第１の方向の伝送は、前記ユーザー機器から前記サービングノードへのアップリンク伝送であり、
前記第２の方向の伝送は、前記補助ノードから該ユーザー機器へのダウンリンク伝送である、請求項１０に記載の通信ネットワーク。
【請求項１９】
コンピュータプログラム製品であって、該コンピュータプログラム製品は、コンピュータ読み取り可能な記憶媒体を含むコンピュータプログラム製品であって、該記憶媒体が、ワイヤレス通信ネットワークのノードの処理ユニットをコントロールするためのコンピュータ使用可能なプログラムコードを記憶し、該プログラムコードは、
ユーザー機器と該ワイヤレス通信ネットワークとの間の第１の方向の伝送のために適応され、補助ノードを選択するように適応されるサービングノードとして動作するように選択され、
該ワイヤレス通信ネットワークと該ユーザー機器との間の第２の方向の伝送のために適応される補助ノードとして動作するように、サービングノードとして動作するワイヤレス通信ネットワークのノードによって選択される、
コンピュータプログラム製品。
【請求項２０】
前記第１の方向の伝送は、サービングノードとして動作する前記ワイヤレス通信ネットワークの前記ノードから前記ユーザー機器へのダウンリンク伝送であり、
前記第２の方向の伝送は、該ユーザー機器から補助ノードとして動作する該ワイヤレス通信ネットワークの該ノードへのアップリンク伝送である、請求項１９に記載のコンピュータプログラム製品。
【請求項２１】
前記コンピュータ使用可能なプログラムコードは、ワイヤレス通信ネットワークのノードの処理ユニットをコントロールし、サービングノードとして動作するとき、該ワイヤレス通信ネットワークの複数のノードを、アップリンク補助ノードセットを形成する複数のアップリンク補助ノードとして選択するようにさらに適応される、請求項２０に記載のコンピュータプログラム製品。
【請求項２２】
前記コンピュータ使用可能なプログラムコードは、ワイヤレス通信ネットワークのノードの処理ユニットをコントロールし、補助ノードとして動作するとき、前記ユーザー機器からのアップリンク伝送データを受信し、該補助ノードからサービングノードとして動作する該ワイヤレス通信ネットワークのもう１つのノードへのアップリンク伝送データを送信するようにさらに適応される、請求項２０に記載のコンピュータプログラム製品。
【請求項２３】
前記コンピュータ使用可能なプログラムコードは、ワイヤレス通信ネットワークのノードの処理ユニットをコントロールし、サービングノードとして動作するとき、該サービングノードから補助ノードとして動作する該通信ネットワークのもう１つのノードへのアップリンクスケジュールパラメーターを送信するようにさらに適応される、請求項２０に記載のコンピュータプログラム製品。
【請求項２４】
前記コンピュータ使用可能なプログラムコードは、ワイヤレス通信ネットワークのノードの処理ユニットをコントロールし、サービングノードとして動作するとき、前記第２の方向の伝送のためのワイヤレス通信リンクのパラメーターを適応するようにさらに適応される、請求項１９に記載のコンピュータプログラム製品。
【請求項２５】
前記第１の方向の伝送は、前記ユーザー機器からサービングノードとして動作する前記通信ネットワークの前記ノードへのアップリンク伝送であり、
前記第２の方向の伝送は、補助ノードとして動作する該通信ネットワークの該ノードから該ユーザー機器へのダウンリンク伝送である、請求項１９に記載のコンピュータプログラム製品。
【発明の詳細な説明】
【技術分野】
【０００１】
（技術分野）
本開示は、概して、ワイヤレス通信ネットワークに関し、より具体的には、ネットワークとワイヤレスユーザー機器との間のアップリンクおよびダウンリンクのワイヤレス伝送を向上させるための補助的なワイヤレス通信ネットワークノードの使用に関する。
【背景技術】
【０００２】
（背景）
モバイルまたはセルラー電話システムは、ワイヤレス末端のユーザー機器またはアプリケーションとワイヤレスネットワーク機器との間にデータを送受信するためのワイヤレス通信システムの一例である。送信データおよび受信データは、データパケットの形式であり得る。送信および受信データパケットは、さまざまなフォーマットであり得、およびボイスデータ、バイナリデータ、ビデオデータ等のさまざまな異なるタイプのデータを含み得る。
【０００３】
典型的なワイヤレス通信システムにおいて、ワイヤレス伝送は、ワイヤレス技術を用いるセルラー電話または他のデバイスのようなワイヤレスユーザー機器と、ワイヤレス通信ネットワークのノードとの間に起こる。ネットワークノードからユーザー機器への伝送は、ダウンリンク伝送または順方向リンク伝送と呼ばれる。ユーザー機器からネットワークノードへの伝送は、アップリンク伝送または逆方向リンク伝送として公知である。
【０００４】
いくつかの公知のワイヤレス通信ネットワークまたは提案されたワイヤレス通信ネットワークは、ワイヤレスユーザー機器とのワイヤレス通信を提供するために異なるタイプのネットワークノードを提供し得る。例えば、異質ロングタームエボリューションアドバンスト（ＬＴＥ−Ａ）ワイヤレス通信ネットワークは、従来の進化型ユニバーサルモバイルテレコミュニケーションシステム（ＵＭＴＳ）テレストリアルラジオアクセスネットワーク（Ｅ−ＵＴＲＡＮ）Ｎｏｄｅ  Ｂノードのような標準ノード、およびワイヤレスユーザー機器との通信のための中継ノードを共に使用する。この場合において、標準ノードおよび中継ノードは、ユーザー機器とのワイヤレス通信を確立および実行するのにおいて類似な機能を行う。標準ノードと中継ノードとの間の主な異なりは、伝送電力である。例えば、ロングタームエボリューションアドバンスト（ＬＴＥ−Ａ）ネットワークにおいて、おそらくＥ−ＵＴＲＡＮ  Ｎｏｄｅ  Ｂ伝送電力（例えば、４６ｄＢｍ）と、中継ノード伝送電力（例えば、３０ｄＢｍまたは３６ｄＢｍ）との間に大きな異なりがある。
【０００５】
ワイヤレスユーザー機器とワイヤレス通信ネットワークとの間のワイヤレス通信の開始で、またはユーザー機器が移動するとき、ユーザー機器は、通信するネットワークノードを選択する。このノードは、サービングノードとして知られる。サービングノードは、ユーザー機器とネットワークの間のアップリンクおよびダウンリンク通信の両方のために使われる。典型的に、ユーザー機器は、ダウンリンクの信号強度に基づいて、サービングノードとして動作するための最もよいネットワークノードを選択しようとする。従って、ユーザー機器は、典型的に、ユーザー機器が最も強いダウンリンク信号を受信するネットワークノードを、サービングノードとして選択する。標準および中継ノードを提供するワイヤレス通信ネットワークにおいて、従来のＥ−ＵＴＲＡＮ  ｎｏｄｅ  Ｂノードのような標準ノードか、中継ノードかは、ユーザー機器での受信されたダウンリンクの信号強度に基づくサービングノードとして、ユーザー機器によって選択され得る。
【発明の概要】
【課題を解決するための手段】
【０００６】
例えば、本発明は、以下の項目を提供する。
（項目１）
ワイヤレス通信ネットワークとワイヤレスユーザー機器との間のワイヤレス通信の方法であって、該方法は、
該ワイヤレス通信ネットワークの第１のノードを、該ユーザー機器のためのサービングノードとして選択することと、
該ユーザー機器と該ワイヤレス通信ネットワークとの間の第１の方向の伝送のために該サービングノードを使うことと、
該ワイヤレス通信ネットワークの第２のノードを、補助ノードとして選択することと、
該ワイヤレス通信ネットワークと該ユーザー機器との間の第２の方向の伝送のために該補助ノードを使うことと
を含む、方法。
（項目２）
上記第１のノードおよび上記第２のノードは、Ｅ−ＵＴＲＡＮ  Ｎｏｄｅ  Ｂノード、中継ノード、および他の低電力伝送ノードからなるワイヤレス通信ネットワークの群より選択されたワイヤレス通信ネットワークノードである、上記項目のいずれかに記載の方法。
（項目３）
上記第２のノードを選択することは、上記サービングノードより強いアップリンク信号を上記ユーザー機器から受信する上記ワイヤレス通信ネットワークの第２のノードを、上記補助ノードとして選択することを含み、
上記第１の方向の伝送は、該サービングノードから該ユーザー機器へのダウンリンク伝送であり、
上記第２の方向の伝送は、該ユーザー機器から該補助ノードへのアップリンク伝送である、上記項目のいずれかに記載の方法。
（項目４）
上記ワイヤレス通信ネットワークの第２のノードを補助ノードとして選択することは、該ワイヤレス通信ネットワークの複数のノードを、アップリンク補助ノードセットを形成する複数のアップリンク補助ノードとして選択することを含み、
上記ユーザー機器から該ワイヤレス通信ネットワークへのアップリンク伝送のための該補助ノードを使うことは、該アップリンク補助ノードセットの複数の該アップリンク補助ノードによって該ユーザー機器からのアップリンク伝送を受信することを含む、上記項目のいずれかに記載の方法。
（項目５）
上記ワイヤレス通信ネットワークと上記ユーザー機器との間の伝送のために上記補助ノードを使うことは、
該補助ノードによって、該ユーザー機器からのアップリンク伝送データを受信することと、
該補助ノードから上記サービングノードへ該受信されたアップリンク伝送データを送信することと
を含む、上記項目のいずれかに記載の方法。
（項目６）
上記ワイヤレス通信ネットワークと上記ユーザー機器との間の伝送のために上記補助ノードを使うことは、上記サービングノードから該補助ノードへアップリンクスケジュールパラメーターを送信することを含む、上記項目のいずれかに記載の方法。
（項目７）
上記サービングノードによる上記第２の方向の伝送のためのワイヤレス通信リンクのパラメーターを適応することをさらに含む、上記項目のいずれかに記載の方法。
（項目８）
上記第２の方向の伝送のための再伝送統計を決定することと、該決定された再伝送統計に基づいて、該第２の方向の伝送のための上記ワイヤレス通信リンクのパラメーターを適応することとを含む、上記項目のいずれかに記載の方法。
（項目９）
上記第１の方向の伝送は、上記ユーザー機器から上記サービングノードへのアップリンク伝送であり、
上記第２の方向の伝送は、上記補助ノードから該ユーザー機器へのダウンリンク伝送である、上記項目のいずれかに記載の方法。
（項目１０）
ユーザー機器とのワイヤレス通信のための通信ネットワークであって、該通信ネットワークは、
該ユーザー機器と該ワイヤレス通信ネットワークとの間の第１の方向の伝送のために適応され、補助ノードを選択するように適応されるサービングノードと、
補助ノードであって、該補助ノードが、該サービングノードによって選択され、および該ワイヤレス通信ネットワークと該ユーザー機器との間の第２の方向の伝送のために適応される補助ノードと
を含む、通信ネットワーク。
（項目１１）
上記サービングノードおよび上記補助ノードは、Ｅ−ＵＴＲＡＮ  Ｎｏｄｅ  Ｂノード、中継ノード、および他の低電力伝送ノードからなるワイヤレス通信ネットワークの群より選択されたワイヤレス通信ネットワークノードである、上記項目のいずれかに記載の通信ネットワーク。
（項目１２）
上記補助ノードは、上記サービングノードより強いアップリンク信号を上記ユーザー機器から受信し、
上記第１の方向の伝送は、該サービングノードから該ユーザー機器へのダウンリンク伝送であり、
上記第２の方向の伝送は、該ユーザー機器から該補助ノードへのアップリンク伝送である、上記項目のいずれかに記載の通信ネットワーク。
（項目１３）
上記サービングノードは、さらに、上記ワイヤレス通信ネットワークの複数のノードを、アップリンク補助ノードセットを形成する複数のアップリンク補助ノードとして選択するように適応され、
該アップリンク補助ノードセットの該複数のノードの各々は、上記ユーザー機器からのアップリンク伝送を受信するように適応される、上記項目のいずれかに記載の通信ネットワーク。
（項目１４）
上記補助ノードは、上記ユーザー機器からのアップリンク伝送データを受信し、該補助ノードから上記サービングノードへ該受信されたアップリンク伝送データを送信するように適応される、上記項目のいずれかに記載の通信ネットワーク。
（項目１５）
上記サービングノードは、該サービングノードから上記補助ノードへアップリンクスケジュールパラメーターを送信するように適応される、上記項目のいずれかに記載の通信ネットワーク。
（項目１６）
上記サービングノードは、上記第２の方向の伝送のためのワイヤレス通信リンクのパラメーターを適応するように適応される、上記項目のいずれかに記載の通信ネットワーク。
（項目１７）
上記サービングノードは、上記第２の方向の伝送のための再伝送統計を決定し、該決定された再伝送統計に基づいて、該第２の方向の伝送のための上記ワイヤレス通信リンクのパラメーターを適応するように適応される、上記項目のいずれかに記載の通信ネットワーク。
（項目１８）
上記第１の方向の伝送は、上記ユーザー機器から上記サービングノードへのアップリンク伝送であり、
上記第２の方向の伝送は、上記補助ノードから該ユーザー機器へのダウンリンク伝送である、上記項目のいずれかに記載の通信ネットワーク。
（項目１９）
コンピュータプログラム製品であって、該コンピュータプログラム製品は、コンピュータ読み取り可能な記憶媒体を含むコンピュータプログラム製品であって、該記憶媒体が、ワイヤレス通信ネットワークのノードの処理ユニットをコントロールするためのコンピュータ使用可能なプログラムコードを記憶し、該プログラムコードは、
ユーザー機器と該ワイヤレス通信ネットワークとの間の第１の方向の伝送のために適応され、補助ノードを選択するように適応されるサービングノードとして動作するように選択され、
該ワイヤレス通信ネットワークと該ユーザー機器との間の第２の方向の伝送のために適応される補助ノードとして動作するように、サービングノードとして動作するワイヤレス通信ネットワークのノードによって選択される、
コンピュータプログラム製品。
（項目２０）
上記第１の方向の伝送は、サービングノードとして動作する上記ワイヤレス通信ネットワークの上記ノードから上記ユーザー機器へのダウンリンク伝送であり、
上記第２の方向の伝送は、該ユーザー機器から補助ノードとして動作する該ワイヤレス通信ネットワークの該ノードへのアップリンク伝送である、上記項目のいずれかに記載のコンピュータプログラム製品。
（項目２１）
上記コンピュータ使用可能なプログラムコードは、ワイヤレス通信ネットワークのノードの処理ユニットをコントロールし、サービングノードとして動作するとき、該ワイヤレス通信ネットワークの複数のノードを、アップリンク補助ノードセットを形成する複数のアップリンク補助ノードとして選択するようにさらに適応される、上記項目のいずれかに記載のコンピュータプログラム製品。
（項目２２）
上記コンピュータ使用可能なプログラムコードは、ワイヤレス通信ネットワークのノードの処理ユニットをコントロールし、補助ノードとして動作するとき、上記ユーザー機器からのアップリンク伝送データを受信し、該補助ノードからサービングノードとして動作する該ワイヤレス通信ネットワークのもう１つのノードへのアップリンク伝送データを送信するようにさらに適応される、上記項目のいずれかに記載のコンピュータプログラム製品。
（項目２３）
上記コンピュータ使用可能なプログラムコードは、ワイヤレス通信ネットワークのノードの処理ユニットをコントロールし、サービングノードとして動作するとき、該サービングノードから補助ノードとして動作する該通信ネットワークのもう１つのノードへのアップリンクスケジュールパラメーターを送信するようにさらに適応される、上記項目のいずれかに記載のコンピュータプログラム製品。
（項目２４）
上記コンピュータ使用可能なプログラムコードは、ワイヤレス通信ネットワークのノードの処理ユニットをコントロールし、サービングノードとして動作するとき、上記第２の方向の伝送のためのワイヤレス通信リンクのパラメーターを適応するようにさらに適応される、上記項目のいずれかに記載のコンピュータプログラム製品。
（項目２５）
上記第１の方向の伝送は、上記ユーザー機器からサービングノードとして動作する上記通信ネットワークの上記ノードへのアップリンク伝送であり、
上記第２の方向の伝送は、補助ノードとして動作する該通信ネットワークの該ノードから該ユーザー機器へのダウンリンク伝送である、上記項目のいずれかに記載のコンピュータプログラム製品。
【０００７】
（摘要）
ワイヤレスネットワークの補助ノード伝送援助は、ワイヤレスネットワークのサービングノードを用いる第１の方向のワイヤレスネットワークとワイヤレスユーザー機器との間の伝送を提供し、その一方で、ワイヤレスネットワークの補助ノードを用いる第２の方向のワイヤレスネットワークとワイヤレスユーザー機器との間の伝送を提供する。補助ノードは、サービングノードより、第２の方向のネットワークとユーザー機器との間のよいチャンネル状況を提供することに基づいて選択される。補助ノードは、従って、ユーザー機器とネットワークとの間の最もよい利用可能なダウンリンクおよびアップリンクを提供するために、サービングノードに対して伝送援助を提供する。
【図面の簡単な説明】
【０００８】
（図面の簡単な記述）
本明細書に記述されるさまざまな実施形態のよりよい理解のために、およびそれらが実行に移され得る方法をより明白に示すために、参照は、ここで、例としてのみ、少なくとも１つの典型的な実施形態を示す添付の図面に加えられる。
【図１】図１は、例となる実施形態に従うワイヤレスネットワークのブロックダイヤグラムである。
【図２】図２は、例となる実施形態に従うワイヤレスユーザー機器のブロックダイヤグラムである。
【図３】図３は、例となる実施形態に従って描かれるデータ処理システムのブロックダイヤグラムである。
【図４】図４は、例となる実施形態に従う通信環境を説明するブロックダイヤグラムである。
【図５】図５は、例となる実施形態に従うワイヤレス通信ネットワークの補助ノード伝送援助の方法のフローチャートである。
【図６】図６は、例となる実施形態に従うアップリンク補助ノードを選択するための方法のメッセージフローを説明するダイヤグラムである。
【図７】図７は、例となる実施形態に従うアップリンク補助ノードを使うための方法のメッセージフローを説明するダイヤグラムである。
【図８】図８は、サービングノードでインプリメントされるように、例となる実施形態に従うアップリンク補助ノードを選択する方法のフローチャートである。
【図９】図９は、サービングノードでインプリメントされるように、例となる実施形態に従うワイヤレス通信ネットワークの伝送援助のためのアップリンク補助ノードを使う方法のフローチャートである。
【図１０】図１０は、例となる実施形態に従うサービングノードでインプリメントされるようなレート適応の方法のフローチャートである。
【図１１】図１１は、例となる実施形態に従うサービングノードでインプリメントされるようなレート適応の代替的な方法のフローチャートである。
【図１２】図１２は、例となる実施形態に従うスライドウィンドウ技術を用いて、混成自動反復リクエスト伝送統計を得る例を説明する。
【図１３】図１３は、例となる実施形態に従うワイヤレス通信ネットワークの伝送援助のためのアップリンク補助ノードを用いる干渉−プラス−ノイズレート性能の増大に対する模擬信号を説明するチャートである。
【図１４】図１４は、例となる実施形態に従うワイヤレス通信ネットワークの伝送援助のためのダウンリンク補助ノードを用いる干渉−プラス−ノイズレート性能の増大に対する模擬信号を説明するチャートである。
【発明を実施するための形態】
【０００９】
（詳細な記述）
実例の簡単および明瞭のために、適切に考慮された参照数字が、対応または類似な構成要素を指すように図面の間に繰り返され得ることは認識される。加えて、数多くの特定の細部は、本明細書に記述される実施形態の十分な理解を提供するために説明される。しかし、本明細書に記述される実施形態がこれらの特定の細部なしに実行され得ることは、普通の当業者によって理解される。他の場合において、良く知られる方法、手順および部品は、本明細書に記述される実施形態をあいまいにしないように詳細に記述されていない。また、記述は、本明細書に記述される実施形態の範囲を制限しないように考えられる。
【００１０】
本明細書に開示される異なる実施形態は、いくつかの異なる考え方を認め、かつ考慮に入れる。例えば、開示される実施形態は、ワイヤレスネットワークが、ワイヤレスユーザー機器とのワイヤレス通信のために、標準ノードおよび中継ノードのような異なるタイプのネットワークノードを含み得ることを認め、かつ考慮に入れる。このような異なるタイプのネットワークノードは、ノードからユーザー機器へのダウンリンク上に異なるレベルの伝送電力を提供得る。しかし、アップリンクでは、ユーザー機器からの１つのアップリンク伝送のみである。ユーザー機器からのアップリンクは、ワイヤレス通信ネットワークの複数の標準および中継ノードによって受信され得る。このようなアップリンク伝送から受信された電力は、ユーザー機器と受信する標準または中継ノードとの間の伝播経路に大きく依存する。そのゆえに、ユーザー機器は、より大きい伝送電力を有する標準ノードからより強いダウンリンク伝送を受信するときであるが、同時に、中継ノードのようなもう１つのノードは、ユーザー機器からのより強い伝送信号を受信する。このことは、アップリンク／ダウンリンク受信のアンバランスを引き起こす。
【００１１】
開示される実施形態は、アップリンク／ダウンリンク受信のアンバランスが、ユーザー機器にとって、そのアップリンクおよびダウンリンク通信のニーズのためのサービングノードとして、最もよいノード、標準ノードか中継ノードかを選択するのを困難にし得ることも認め、かつ考慮に入れる。例えば、より低いＥ−ＵＴＲＡＮ  Ｎｏｄｅ  Ｂノードとして機能するＥ−ＵＴＲＡＮ  Ｎｏｄｅ  Ｂノードおよびタイプ１中継ノードを使用するロングタームエボリューションアドバンストネットワークにおいて、使われていないユーザー機器がそのサービングノードのための最もよいＥ−ＵＴＲＡＮ  Ｎｏｄｅ  Ｂノードまたはタイプ１中継ノードを選択することは難しいかもしれない。ユーザー機器は、通常に、ダウンリンク信号強度に基づいて、そのサービングノードを選ぶ。これに反して、ユーザー機器が優れたダウンリンクおよびアップリンクの信号電力を共に有することは重要である。他の点では、ユーザー機器との双方向通信は、特にボイスサービスにとって保証され得ない。
【００１２】
本明細書に開示される実施形態は、通信ネットワークとワイヤレスユーザー機器との間、ユーザー機器が最もよい利用可能なダウンリンクおよびアップリンクの信号電力を共に有することを可能にするワイヤレス通信のための複数のネットワークノードを使用する方法およびシステムを提供する。特に、開示される実施形態は、ワイヤレス通信ネットワークとワイヤレスユーザー機器との間のワイヤレス伝送を提供するのに用いるサービングノードに伝送援助を提供するために、アップリンク補助ノードまたはダウンリンク補助ノードのような補助ノードを使用する。開示される実施形態は、アップリンク／ダウンリンク受信のアンバランスが生じ得る他のワイヤレス通信ネットワークでインプリメントされ得る。特に、開示される実施形態は、ワイヤレスユーザー機器との通信のためにより高電力のネットワークノードおよびより低電力の中継ノードを共に有する混成のワイヤレス通信ネットワークでインプリメントされ得る。例えば、例となる実施形態は、利用可能な中継ノードを利用することによって利用可能なゲインを十分に活用するために、タイプ１、タイプ２または他の中継ノードのような中継ノードを使用する混成ロングタームエボリューションアドバンストワイヤレスネットワークでインプリメントされ得る。
【００１３】
例となる実施形態に従うワイヤレス通信システムは、図１に描かれる。ワイヤレス通信システム１００は、ワイヤレス通信ネットワーク１０２を含む。例えば、ワイヤレスネットワーク１０２は、モバイルネットワーク技術のためのロングタームエボリューション（ＬＴＥ）標準に従ってインプリメントされるワイヤレスネットワークであり得る。しかし、例となる実施形態が、ユニバーサルモバイルテレコミュニケーションシステム（ＵＭＴＳ）ネットワーク、モバイルのためのグローバルシステム（ＧＳＭ）ネットワーク、または他の標準または技術を使用する他の現在または将来のワイヤレスネットワークのような他のワイヤレス通信ネットワークでインプリメントされ得ることは理解されるべき。ワイヤレスネットワーク１０２は、複数のネットワークのうちの１つのネットワークを形成する単一のネットワークまたは複数のネットワークを含み得る。
【００１４】
ワイヤレスネットワーク１０２は、ワイヤレス通信チャンネル１０６を介して、ユーザー機器１０４とのワイヤレス通信を提供する。以下でより詳細に議論されるように、ユーザー機器１０４の例は、ポケットベル、セルラーフォン、セルラースマートフォン、ワイヤレスオーガナイザー、個人デジタル手帳、コンピュータ、ラップトップ、手持ちのワイヤレス通信デバイス、ワイヤレス可能なノートブックコンピュータ等を含むモバイルワイヤレス通信デバイスを含み得る。ユーザー機器１０４のみが図１で例によって示されるが、ワイヤレスネットワーク１０２は、さまざまな異なるタイプの大量のユーザー機器との同時通信をサポートし得る。
【００１５】
ワイヤレス通信チャンネル１０６は、ユーザー機器１０４とワイヤレスネットワーク１０２のノード１０８との間にダイナミックに確立される。チャンネル１０６は、例えば、ユーザー機器１０４へまたはからのコールが開始されるときで確立され得る。ロングタームエボリューションネットワークに対して、ユーザー機器１０４とノード１０８との間のエアーインターフェースは、エボルブユニバーサルモバイルテレコミュニケーションシステムテレストリアルラジオアクセスネットワーク（Ｅ−ＵＴＲＡＮ）である。
【００１６】
Ｅ−ＵＴＲＡＮは、利用可能なスペクトルが多くの細いキャリアに分けられるシステム、直交周波数分割多重（ＯＦＤＭＡ）を使い、各キャリアが異なる周波数であり、各キャリアが信号の一部分を運ぶ。ノード１０８からユーザー機器１０４へのダウンリンク伝送に対して、少なくとも４つのメイン物理的チャンネルがある。物理的ダウンリンクコントロールチャンネル（ＰＤＣＣＨ）は、ダウンリンクコントロール情報を伝送するために使われる。物理的ダウンリンク共用チャンネル（ＰＤＳＣＨ）は、全データの伝送のために使われる。物理的マルチキャストチャンネル（ＰＭＣＨ）は、単一周波数ネットワークを用いるブロードキャスト伝送のために使われる。物理的ブロードキャストチャンネル（ＰＢＣＨ）は、セル内の最も重要なシステム情報を送信するために使われる。
【００１７】
ユーザー機器１０４からノード１０８へのアップリンクにおいて、少なくとも３つの物理的チャンネルがある。全データは、物理的アップリンク共用チャンネル（ＰＵＳＣＨ）上に送信される。物理的アップリンク共用チャンネルのみに対して、Ｅ−ＵＴＲＡＮは、ユーザー機器１０４内に電力消費およびピーク−対−平均−電力レート（ＰＡＲＲ）を減少する単一キャリア周波数分割多重アクセス（ＳＣ−ＦＤＭＡ）と呼ばれる直交周波数分割多重の事前コード化されたバージョンを使う。物理的ランダムアクセスチャンネル（ＰＲＡＣＨ）は、最初のアクセスのために、およびユーザー機器１０４が同期アップリンクではないときに使われる。アップリンクコントロール情報は、典型的に、物理的アップリンクコントロールチャンネル（ＰＵＣＣＨ）上に伝送される。
【００１８】
Ｅ−ＵＴＲＡＮは、信頼性のために、ユーザー機器１０４とノード１０８との間の混成自動反復リクエスト（ＨＡＲＱ）再伝送を提供する。混成自動反復リクエスト再伝送は、ノード１０８からユーザー機器１０４へのダウンリンクの非同期適応の再伝送と、ユーザー機器１０４からノード１０８へのアップリンクの同期非適応の再伝送とを含む。同期非適応の混成自動反復リクエスト再伝送は、混成自動反復リクエストブロックの再伝送が事前に規定された周期の間隔で生じること、および再伝送の変調およびコード化スキームが最初の伝送と同じであることを意味する。そのゆえに、明白な信号は、受信器に伝送スケジュールを指定するようにリクエストされない。非同期適応の混成自動反復リクエスト伝送は、エアーインターフェースの状況に基づいて、スケジュール再伝送の柔軟性を提供する。
【００１９】
ノード１０８は、ワイヤレスネットワーク１０２とユーザー機器１０４との間のインターフェースを提供するレートアクセスノードである。ノード１０８は、一般的に、ベーストランシーバーステーションと呼ばれ得る。ノード１０８は、１つ以上のレート周波数送信器１１２と、１つ以上のアンテナ１１０と結合される受信器１１４とを含む。Ｅ−ＵＴＲＡＮは、複数入力および複数出力（ＭＩＭＯ）技術を使用する。そのゆえに、ロングタームエボリューションネットワークのノード１０８は、ノード１０８ごとに最大４つ以上のアンテナ１１０のように、ワイヤレスチャンネル１０６にわたってユーザー機器１０４との通信のための複数のアンテナ１１０を使用し得る。アンテナ１１０は、信号の到来方向のような空間信号の特徴と識別し、ビーム形成ベクトルを計算するためにこのような特徴を使い、およびモバイルユーザー機器１０４上にアンテナビームを追跡かつ定位するために使われる信号処理アルゴリズムを有するスマートアンテナアレイを含み得る。
【００２０】
送信器１１２と受信器１１４は、ワイヤレス通信チャンネル１０６を介して、ユーザー機器１０４のようなモバイルデバイスと直接に通信するためのノード１０８によって使われる。ノード１０８は、特定のカバリッジエリアに対して、普通に「セル」と呼ばれるワイヤレスネットワークカバリッジを提供する。ノード１０８は、ノード１０８によって提供される機能をインプリメントするために、コンピュータ処理システムのような１つ以上の処理システム１１６を含む。ロングタームエボリューションネットワークにおいて、ノード１０８は、エボルブユニバーサルテレストリアルラジオアクセスネットワークＮｏｄｅ  Ｂ、Ｅ−ＵＴＲＡＮ  Ｎｏｄｅ  Ｂ、またはｅＮＢである。このようなノードは、ラジオソースの管理、承認コントロール、スケジュール、サービスのネゴーシエイトアップリンク品質の実施、セル情報ブロードキャスト、ユーザーとコントロールデータの暗号化および暗号解読、および、ダウンリンクおよびアップリンクユーザーパケットヘッダーの圧縮および非圧縮を含む多くの機能を行う。このような機能は、処理システム１１６によって実行されるソフトプログラムでインプリメントされ得る。ノード１０８はまた、以下でより詳細に記述されるように、例となる実施形態に従う補助ノードの伝送援助を提供するために、関連する機能を行うように適応され得る。
【００２１】
ノード１０８のみが図１に示されるが、例となる実施形態に従うワイヤレスネットワーク１０２は、多くの同様なノードを含み得る。ワイヤレスネットワーク１０２は、ワイヤレスネットワーク１０２とユーザー機器１０４とのインターフェースを提供するための異なるタイプのノードを含み得る。例えば、混成ロングタームエボリューションアドバンストネットワークにおいて、Ｅ−ＵＴＲＡＮ  Ｎｏｄｅ  Ｂノードのような標準ノード１０８と、中継ノード１１８、または他のタイプの低い伝送電力のノードとは共に提供される。タイプ１中継ノード、タイプ１ａ中継ノード、タイプ１ｂ中継ノード、タイプ２中継ノード、またはロングタームエボリューションアドバンストネットワークの他のタイプの中継ノードのような中継ノード１１８は、標準ノード１０８と同じ基礎機能を提供し得る。しかし、中継ノード１１８は、標準ノード１０８より少ない伝送電力を提供する。中継ノード１１８のみが図１に示されるが、例となる実施形態に従うワイヤレスネットワーク１０２は、多くの中継ノードを含み得る。
【００２２】
サービングゲートウェイ１２０は、ノード１０８と１１８にユーザーデータパケットを送り、およびそれらからのユーザーデータパケットを転送する。サービングゲートウェイ１２０はまた、ユーザー機器１０４が、１つのノード１０８のカバリッジエリアの外へ、およびもう１つのノードのカバリッジエリア内に移動するとき生じる中間ノードの引き継ぎの間に、移動性アンカーとして実行する。同様に、サービングゲートウェイ１２０は、ロングタームエボリューションネットワーク１０２と、他の標準および技術を用いる他のワイヤレス１２２との間の移動能力のためのアンカーとして実行する。
【００２３】
移動能力の管理エンティティ１２４は、ユーザー機器１０４が、ユーザー機器１０４がノード１０８または１１８を介してアクティブにデータを伝送および受信していないときの待機モードであるとき、再伝送を含む追跡およびページする手順に関与する。それは、有効化および無効化プロセスにかかわり、およびネットワーク１０２へのユーザー機器１０４の最初の接続およびノード再配置を必要とする引き継ぎの時でサービングゲートウェイを選ぶのにも関与する。それは、ユーザーを認証するのに関与する。移動能力の管理エンティティ１２４は、ロングタームエボリューションネットワーク１０２と、他の標準および技術を用いる他のワイヤレスネットワーク１２２との間の移動能力のためのコントロール機能も提供する。
【００２４】
パケットデータネットワークゲートウェイ１２６は、インターネット１２８のような外部のパケットデータネットワークへの通信能力を提供する。従って、パケットデータネットワークゲートウェイ１２６は、ユーザー機器１０４のためのパケットデータネットワークの通信の出口および入口のポイントであることによって、外部のパケットデータネットワークへに対してユーザー機器１０４の通信能力を提供する。ユーザー機器１０４は、１つより多いパケットデータネットワークにアクセルするために、１つより多いパケットデータネットワークゲートウェイを有する同時通信能力を有し得る。
【００２５】
サービングゲートウェイ１２０、移動能力の管理エンティティ１２４、およびパケットデータネットワークゲートウェイ１２６は、ロングタームエボリューションワイヤレスネットワーク１０２のコアネットワーク１３０を形成する。サービングゲートウェイ１２０、移動能力の管理エンティティ１２４、およびパケットデータネットワークゲートウェイ１２６は、図１で説明される例に示されるのみが、例となる実施形態に従うロングタームエボリューションワイヤレスネットワークのコアネットワーク１３０は、複数のサービングゲートウェイ、移動能力の管理エンティティ、およびパケットデータネットワークゲートウェイを含み得る。ロングタームエボリューションワイヤレスネットワークは、移動能力の管理エンティティおよびサービングゲートウェイのプールを生成し、および、ネットワークの各ノード１０８または１１８がプール内の移動能力の管理エンティティおよびサービングゲートウェイに接続されるのを許可することによって、コアネットワーク１３０の通信アクセスネットワークの構成要素のネットワークサポートおよびロード共用を提供する。ワイヤレスネットワーク１０２のさまざまなノード１０８および１１８は、コアネットワーク１３０から延長するバックホール通信チャンネルを介して、互いと通信し得る。
【００２６】
コアネットワーク１３０のメイン機能が、ネットワーク１０２上のユーザー機器１０４の間、およびネットワーク１０２上のユーザー機器１０４と、他のワイヤレスネットワーク１２２およびインターネット１２８、パブリックスイッチテレフォンネットワーク等のような他のパブリックまたプライベートネットワークのような他のネットワーク上のユーザーと間のデータパケットのルーティングを提供することは理解され得る。ロングタームエボリューションネットワーク１０２のコアネットワーク１３０によって提供される機能は、図１で説明されるように、例えば、モバイル通信のためのグローバルシステム（ＧＳＭ）ネットワーク、およびユニバーサルモバイルテレコミュニケーションシステム（ＵＭＴＳ）ネットワークを含めて、例となる実施形態がインプリメントされ得る異なるタイプのワイヤレスネットワークの異なるのシステムおよび構造によって提供され得る。図１に関して表される部品のリストは、ワイヤレスネットワークの部品の完全なリストではなく、しかしむしろワイヤレスネットワーク１０２による通信で普通に使われる部品のリストになる。
【００２７】
図２は、例となる実施形態に従うワイヤレスユーザー機器のブロックダイヤグラムである。この例において、ユーザー機器２００は、図１のユーザー機器１０４の例である。ユーザー機器２００は、例えば、図１に関して上に記述された通信ネットワーク１０２のようなワイヤレス通信ネットワークを通して、他のユーザー機器、コンピュータシステム、または他のデバイスと通信する能力を含むデータ通信能力を有する任意の双方向通信デバイスを含み得る。ユーザー機器２００は、ボイス通信を提供する能力を有し得る（しかし必要とされない）。提供される機能に依存して、ユーザー機器２００は、データメッセージングデバイス、双方向ポケットベル、データメッセージング能力を有するセルラーテレフォン、ワイヤレスインターネット家電、またはテレフォ二能力を有しまたは有しないデータ通信デバイスと呼ばれ得る。
【００２８】
ユーザー機器２００は、プロセッサー２０２を含む。プロセッサー２０２は、ユーザー機器２００の全部動作をコントロールする。プロセッサー２０２は、１つ以上のマイクロプロセッサーまたはコンピュータプログラムを動かすために適応される同様なデバイスを含む１つ以上の個々のプログラム化可能な処理デバイスとしてインプリメントされ得る。
【００２９】
プロセッサー２０２は、通信サブシステム２０４、記憶媒体２０６、およびユーザー入力と出力サブシステム２０８のようなユーザー機器サブシステムと相互作用する。通信サブシステム２０４は、以下でより詳細に記述される。記憶媒体２０６は、ランダムアクセスメモリー、読み取り専用メモリー、フラッシュメモリー、加入者アイデンティティモジュール（ＳＩＭ）または取り外し可能なユーザーアイデンティティモジュール（ＲＵＩＭ）カード、またはプロセッサー２０２による使用可能な任意の形式のコンピュータプログラムおよびデータを格納するための他のタイプの媒体、デバイスまたは構造のようなプロセッサー２０２によるさまざまなタイプの読み取り可能なメモリー媒体またはメモリーデバイスを含み得る。ユーザー入力と出力サブシステム２０８は、ユーザー機器２００に直接のユーザー相互作用を提供するためのデバイスまたは構造を含み得る。例えば、ユーザー入力と出力サブシステム２０８は、ディスプレイ、キーボードまたはキーパッド、スピーカー、マイクロフォン、またはタッチスクリーン、マウス、トラックボール、赤外線指紋検出器、またはダイナミックボタンプレシング能力を有するローラーホイールのようなユーザー機器２００にユーザーの直接の相互作用を提供する他のデバイスまたは構造を含み得る。ユーザー機器２００は、図２で説明されおよび本明細書で詳細に記述されるそれらと異なり、データポート、ショートレンジワイヤレス通信デバイス、１つ以上の充電可能なバッテリーのためのバッテリーインターフェースのようなサブシステム、および他のデバイスサブシステムを含み得る。全部のユーザー機器サブシステムは、プロセッサー２０２と直接または間接通信し得、その結果、プロセッサー２０２は、適切のように、サブシステムの動作と相互作用し得またはコントロールし得る。
【００３０】
記憶媒体２０６は、そこに格納され、プロセッサー２０２によって動かされるソフトウェア部品の形のコンピュータプログラム、およびプログラムを動かすのに使われ、またはプログラムの実行から生じる関連データを含む。記憶媒体２０６に格納されるコンピュータプログラムおよび関連データは、システム適用をインプリメントするコンピュータプログラムおよび関連システム適用データ２１０と、ユーザー適用をインプリメントするコンピュータプログラムおよび関連ユーザー適用データ２１２とを含む。
【００３１】
システム適用２１０は、ユーザー機器２００の一般動作に関連する機能をインプリメントする適用を含む。システム適用２１０は、典型的に、ユーザー機器２００のユーザーに示されない方式で自動的に動作する。例えば、システム適用２１０は、動作するシステム適用、ユーザー機器２００がワイヤレス基盤およびユーザー機器２００がインターフェースでつなぐ権限を与えられる任意のホストシステムと通信するのに必要とされる通信プロトコールをインプリメントするための接続機能、ユーザー機器２００が消されまたは電力を失うときにデータが失わないように永続メモリーに格納される重要なデバイスデータを確保するために永続性を提供するデバイス状態の適用、バッテリー電力管理および充電機能、またはユーザー機器２００の動作のための他の必要または望ましい機能を含み得る。
【００３２】
ユーザー適用２１２は、ユーザー入力および出力サブシステム２０８を用いて、ユーザー相互作用を介してユーザー機器２０４のユーザーによって使われる機能をインプリメントする適用を含む。ユーザー適用２１２は、ユーザーに異なるタイプのメッセージを生成、送信、受信、ビュー、および保存するのを許可するメッセージング機能を含み得る。他のユーザー適用２１２は、電子メール、コンタクト、カレンダーイベント、ボイスメール、アポイントメントおよびタスクアイテムのような（しかし制限されない）ユーザーにとって関心のデータアイテムを整理かつ管理するための機能を含む個人情報マネージャーの適用を含み得る。個人情報マネージャーの適用は、ワイヤレスネットワーク１０２を介して、データアイテムを送信および受信する能力を有し得る。個人情報データアイテムは、ホストコンピュータシステムに格納または関連されるユーザー機器加入者の対応するデータアイテムを有するワイヤレスネットワーク１０２を介して、円滑に集積、同調、および更新され得る。この機能は、このようなアイテムに対してユーザー機器２００上にミラードホストコンピュータを生成する。このことは、ホストコンピュータシステムが、ユーザー機器加入者のオフィスコンピュータシステムであるとき、特に利点があり得る。
【００３３】
他のタイプのプログラムまたはソフトウェア適用は、ユーザー機器２００上の記憶媒体２０６にもインストールされ得る。このソフトウェア適用は、ユーザー機器２００の製造の後に加えられる第３者適用を含み得る。第３者適用の例は、ゲーム、計算器、ユーティリティ等のようなユーザー適用２１２を含み。追加のシステム適用２１０またはユーザー適用２１２は、ワイヤレスネットワーク１０２、補助Ｉ／Ｏサブシステム、データポート、ショートレンジワイヤレス通信サブシステム、またはユーザー機器２００上に提供される他の適切なデバイスサブシステムを介して、ユーザー機器２００上にロードされ得る。
【００３４】
データおよびボイス通信を含む通信機能は、通信サブシステム２０４によって行われる。通信サブシステム２０４は、ワイヤレスネットワーク１０２からのメッセージを受信し、およびワイヤレスネットワーク１０２へメッセージを送信する。例えば、通信サブシステム２０４は、エボルブユニバーサルモバイルテレコミュニケーションシステムテレストリアルラジオアクセスネットワーク（Ｅ−ＵＴＲＡＮ）技術を用いて、ロングタームエボリューション（ＬＴＥ）技術標準に従うデータパケットの形のメッセージを送信および受信するように構成され得る。代替的に、または加えて、通信サブシステム２０４は、ユニバーサルモバイルテレコミュニケーションシステムテレストリアルラジオアクセスネットワーク（ＵＴＲＡＮ）技術を使うように、またはモバイル通信のためのグローバルシステム（ＧＳＭ）およびジェネラルパケットラジオサービス（ＧＰＲＳ）標準に従って構成され得る。他のワイヤレスネットワークは、違ったインプリメンテーションのユーザー機器２００にも関連付けられ得る。使用され得る異なるタイプのワイヤレスネットワークは、例えば、データ中心のワイヤレスネットワーク、ボイス中心のワイヤレスネットワーク、および上述の例によって記述されるそれらのような同じ物理的べースステーションにわたってボイスおよびデータ通信を共にサポートし得るデュアルモードネットワークを含む。新しい標準はなお定義され、しかし、新しい標準に従ってインプリメントされるワイヤレスネットワークが本明細書に記述されるネットワークとの類似性を有することは考えられる。本明細書に記述される実施形態が、将来に開発される他の適切な標準を使う傾向があることは、当業者にも理解される。
【００３５】
通信サブシステム２０４とワイヤレスネットワーク１０２を接続するワイヤレスリンク２１４と２１６は、使用される特定の通信技術のために指定される規定プロトコールに従って動作する１つ以上の異なるラジオ周波数（ＲＦ）チャンネルを表す。特定のネットワークプロトコールを用いて、チャンネル２１４と２１６は、ボイス通信で切り替えられる回路およびデータ通信で切り替えられるパケットを共にサポートすることを可能にする。
【００３６】
通信サブシステム２０４は、受信器２１８と送信器２２０も、１つ以上の埋め込みまたは内部のアンテナ構成要素２２２と２２４、局部発振器（ＬＯｓ）２２６、およびデジタル信号プロセッサー（ＤＳＰ）２２８のような処理モジュールのような関連部品も含む。通信サブシステム２０４の特定のデザインは、ユーザー機器２００が動作しようとするネットワークに依存する。従って、図２で説明される通信サブシステム２０４は、例となる実施形態に従うユーザー機器のための通信サブシステムの例のみを提供する。
【００３７】
アンテナ２２２によってワイヤレスネットワーク１０２から受信されたワイヤレスダウンリンクチャンネル２１４上のダウンリンク信号は、受信器２１８に入力される。受信器２１８は、信号増幅、周波数ダウン変換、フィルタリング、チャンネル選択、およびアナログ−デジタル変換のような普通の受信器機能を行うように適応され得る。受信された信号のアナログ−デジタル変換は、デジタル信号プロセッサー２２８で行われるべき、復調および復号のようなより複雑な通信機能を許可する。同様の方式で、送信されるべきアップリンク信号は、復調および復号を含み、デジタル信号プロセッサー２２８によって処理される。デジタル信号プロセッサー２２８から処理されたアップリンク信号は、送信器２２０に入力される。送信器２２０は、アンテナ２２４を介してワイヤレスアップリンクチャンネル２１６にわたってワイヤレスネットワーク１０２に対してデジタル−アナログ変換、周波数アップ変換、フィルタリング、増幅および伝送のような普通の送信器機能を行うように適応され得る。デジタル信号プロセッサー２２８は、通信信号を処理するだけではなく、また受信器および送信器のコントロールためにも提供する。例えば、受信器２１８および送信器２２０の通信信号に適用されるゲインは、デジタル信号プロセッサー２２８にインプリメントされる自動ゲインコントロールアルゴリズムを通して適応的にコントロールされ得る。
【００３８】
ユーザー機器２００とワイヤレスネットワーク１０２との間のワイヤレスリンクは、１つ以上の異なるチャンネル、典型的に異なるラジオ周波数チャンネル、およびユーザー機器２００とワイヤレスネットワーク１０２との間に誓われる関連プロトコールを含み得る。ラジオ周波数チャンネルは、典型的に全バンド幅およびユーザー機器２００の制限されたバッテリー電力の制限のために保存されなければならない制限されたリソースである。ユーザー機器２００がフル動作のとき、送信器２２０は、典型的に、ワイヤレスネットワーク１０２に送信するときだけ、キーされまたはオンに切り替えられ、それ以外ではリソースを保存するためにオフに切り替えられる。同様に、受信器２１８は、信号および情報を受信する必要とされるまでに、電力を保存するために、指定される時間周期の間に周期的にオフに切り替えられる。
【００３９】
使用中、テキストメッセージ、電子メールメッセージ、またはウェブページダウンロードのような受信された信号は、通信サブシステム２０４によって処理され、およびプロセッサー２０２に提供される。プロセッサー２０２は、次に、ディスプレイのようなユーザー出力デバイス２０８に対する出力のために、受信された信号を処理する。ユーザーは、例えば、ディスプレイと共にキーボードのようなユーザー入力および出力デバイス２０８を用いて、電子メールメッセージのようなデータアイテムも構成し得る。構成されるアイテムは、通信サブシステム２０４を通してワイヤレスネットワーク１０２に送信され得る。
【００４０】
ボイス通信に対して、受信された信号がスピーカーに出力され、および伝送のための信号がマイクロフォンによって生成されることを除いて、ユーザー機器２００の全動作は、本質的に同様である。ボイスメッセージ録音サブシステムのような代替的なボイスまたはオーディオ入力および出力サブシステムも、ユーザー機器２００でインプリメントされ得る。ボイスまたオーディオ信号出力は、スピーカーを通して主に完成されるが、ディスプレイはまた、発呼者のアイデンティティ、ボイスコールの持続期間、または他のボイスコールの関連情報のような追加の情報を提供するために使われ得る。
【００４１】
１つ以上の異なる例となる実施形態は、図１と２に対して前述のそれらよりむしろ通信および標準のタイプに適用され得る。例えば、制限がなく、異なる例となる実施形態は、ＬＴＥアドバンストを用いてインプリメントされ得る。さらに、説明されるワイヤレスネットワークは、４Ｇネットワークの形を利用し得、またはそれを含み得る。
【００４２】
図３は、例となる実施形態に従って描かれたデータ処理システム３００のブロックダイヤグラムである。この例において、データ処理システム３００は、図２のノード１０８の処理システム１１６の１つのインプリメンテーションの例である。データ処理システム３００、またはその一部はまた、図２に説明されるようなユーザー機器２００の１つ以上の機能をインプリメントするために使われ得る。この説明例において、データ処理システム３００は、プロセッサーユニット３０４、メモリー３０６、永続記憶域３０８、通信ユニット３１０、入力／出力ユニット３１２、およびディスプレイ３１４の間の通信を提供する通信構造３０２を含む。
【００４３】
通信ユニット３０４は、メモリー３０６内にロードされ得るソフトウェアのための命令を実行するのに役にたつ。プロセッサーユニット３０４は、特定にインプリメンテーションを依存して、１つ以上のプロセッサーのセットであり得、またはマルチプロセッサコアであり得る。さらに、プロセッサーユニット３０４は、メインプロセッサーが、単一チップ上の二次プロセッサーと共に存在する１つ以上の混成のプロセッサーシステムを用いてインプリメントされ得る。もう１つの説明例のように、プロセッサーユニット３０４は、同じタイプの複数のプロセッサーを含む対称マルチプロセッサーシステムであり得る。
【００４４】
メモリー３０６および永続記憶域３０８は、記憶デバイス３１６の例である。記憶デバイスは、例えば、制限がなく、データ、機能形式のプログラムコード、および／または一時的な方式かおよび／または永久の方式かの他の適切な情報のような情報を格納するのが可能なハードウェアの任意の一部である。これらの例において、メモリー３０６は、例えば、ランダムアクセスメモリー、または他の適切な揮発性または不揮発性の記憶デバイスであり得る。永続記憶域３０８は、特定のインプリメンテーションに依存して、さまざまな形式を利用し得る。例えば、永続記憶域３０８は、１つ以上の部品またはデバイスを含み得る。例えば、永続記憶域３０８は、ハードドライバー、フラッシュメモリー、再書き込み可能な光ディスク、再書き込み可能な磁気テープ、または以上のいくつかの組み合わせであり得る。永続記憶域３０８によって使われる媒体は、取り外し可能であり得る。例えば、取り外し可能なハードドライバーは、永続記憶域３０８のために使われ得る。
【００４５】
これらの例において、通信ユニット３１０は、他のデータ処理システムまたはデバイスとの通信を提供する。これらの例において、通信ユニット３１０は、ネットワークインターフェースカードである。通信ユニット３１０は、物理的およびワイヤレス通信リンクのどちらまたは両方の使用を通して通信を提供し得る。
【００４６】
入力／出力ユニット３１２は、データ処理通信システム３００に接続され得る他のデバイスを用いて、データの入力および出力を考慮に入れる。例えば、入力／出力ユニット３１２は、キーボード、マウス、および／またはいくつか他の適切な入力デバイスを通して、ユーザー入力のための接続を提供し得る。さらに、入力／出力ユニット３１２は、プリンタに出力を送信し得る。ディスプレイ３１４は、ユーザーに情報をディスプレイするためのメカニズムを提供する。
【００４７】
動作システムのための命令、応用、および／またはプログラムは、通信構造３０２を通してプロセッサーユニット３０４と通信する記憶デバイス３１６に位置し得る。これらの例となる実施形態において、命令は、永続記憶域３０８上の機能の形である。これらの命令は、プロセッサーユニット３０４によって動かされるために、メモリー３０６内にロードされ得る。異なる実施形態の処理は、メモリー３０６のようなメモリーに位置し得るコンピュータインプリメントされた命令を用いて、プロセッサーユニット３０４によって行われ得る。
【００４８】
これらの命令は、プロセッサーユニット３０４のプロセッサーによって読み取られ得および動かされ得るプログラムコード、コンピュータ使用可能なブログラムコード、またはコンピュータ読み取り可能なプログラムコードと呼ばれる。異なる実施形態のプログラムコードは、メモリー３０６または永続記憶域３０８のような異なる物理的またはコンピュータ読み取り可能な記憶媒体に埋め込まれ得る。
【００４９】
プログラムコード３１８は、選択的に取り外し可能で、およびプロセッサーユニット３０４によって動かされるべきデータ処理システム３００上にロードされ得または転送されるコンピュータ読み取り可能な媒体３２０上の機能の形で位置する。プログラムコード３１８およびコンピュータ読み取り可能な媒体３２０は、コンピュータプログラム製品３２２を形成する。一例において、コンピュータ読み取り可能な媒体３２０は、コンピュータ読み取り可能な記憶媒体３２４またはコンピュータ読み取り可能な信号媒体３２６であり得る。コンピュータ読み取り可能な記憶媒体３２４は、例えば、永続記憶域３０８の一部分であるハードドライバーのような記憶デバイス上に転送するための永続記憶域３０８の一部分であるドライバーまたは他のデバイス内に挿入されまたは置かれる光または磁気ディスクを含み得る。コンピュータ読み取り可能な記憶媒体３２４はまた、データ処理システム３００に接続されるハードドライバー、サムドライバー、またはフラッシュメモリーのような永続記憶域の形式を利用し得る。いくつかの場合において、コンピュータ読み取り可能な記憶媒体３２４は、データ処理システム３００から取り外し可能ではないかもしれない。
【００５０】
代替的に、プログラムコード３１８は、コンピュータ読み取り可能な信号媒体３２６を用いて、データ処理システム３００に転送され得る。コンピュータ読み取り可能な信号媒体３２６は、例えば、プログラムコード３１８を含む伝播されたデータ信号であり得る。例えば、コンピュータ読み取り可能な信号媒体３２６は、電磁気信号、光信号、および／または他の適切なタイプの信号であり得る。これらの信号は、ワイヤレス通信リンク、光ファイバーケーブル、同軸ケーブル、ワイヤ、および／または他の適切なタイプの通信リンクのような通信リンクにわたって伝送され得る。言い換えると、通信リンクおよび／または接続は、物理的または説明例のワイヤレスである。
【００５１】
いくつかの例となる実施形態において、プログラムコード３１８は、ネットワークをわたって、データ処理システム３００内に使用のためのコンピュータ読み取り可能な信号媒体３２６を通して他のデバイスまたはデータ処理システムからの永続記憶域３０８にダウンロードされ得る。例えば、サーバーデータ処理システムのコンピュータ読み取り可能な記憶媒体に格納されたプログラムコードは、サーバーからのネットワークにわたって、データ処理システム３００にダウンロードされ得る。プログラムコード３１８を提供するデータ処理システムは、サーバーコンピュータ、クライアントコンピュータ、またはプログラムコード３１８を格納かつ伝送するのが可能ないくつか他のデバイスであり得る。
【００５２】
データ処理システム３００に対して説明される異なる部品は、異なる実施形態がインプリメントされ得る方式に構成制限を提供するべきではない。異なる例となる実施形態は、部品を含むデータ処理システムに、データ処理システム３００に対して説明されるそれらに加えてまたは代わりにインプリメントされ得る。図３に示される他の部品は、示される説明例から変えられ得る。異なる実施形態は、プログラムコードを実行するのが可能な任意のハードウェアデバイスまたはシステムを用いてインプリメントされ得る。一例のように、データ処理システム３００は、無機部品と集積される有機部品を含み得、および／または人間を除いて完全に有機部品からなり得る。例えば、記憶デバイスは、有機半導体からなり得る。
【００５３】
もう１つの例のように、データ処理システム３００の記憶デバイスは、データを格納し得る任意のハードウェア装置である。メモリー３０６、永続記憶域３０８、およびコンピュータ読み取り可能な媒体３２０は、現実の形式の記憶デバイスの例である。
【００５４】
もう１つの例のように、バスシステムは、通信構造３０２をインプリメントするために使われ得、およびシステムバスまたは入力／出力バスのような１つ以上のバスからなり得る。もちろん、バスシステムは、異なる部品またはバスシステムに取り付けられるデバイスの間のデータの転送を提供する任意の適切なタイプの構造を用いてインプリメントされ得る。さらに、通信ユニットは、モデムまたはネットワークアダプターのようなデータを伝送かつ受信するために使われる１つ以上のデバイスを含み得る。さらに、メモリーは、例えば、メモリー３０６、または通信構造３０２内に存在し得るインターフェースおよびメモリーコントローラハブに見つけられるようなキャッシュであり得る。
【００５５】
図１−３の部品の説明は、異なる例となる実施形態がインプリメントされ得る方式に物理的または構成の制限を意味するべきではない。他の部品は、説明されるものを加えてまたは代わりに使われ得る。いくつかの部品は、いくつかの例となる実施形態に必要ではないかもしれない。また、ブロックは、いくつかの機能の部品を説明するように表される。これらのブロックのうちの１つ以上は、異なる例となる実施形態でインプリメントされるとき、異なるブロックに結合され得または分けられ得る。
【００５６】
図４は、例となる実施形態に従って描かれる通信環境を説明するブロックダイヤグラムである。通信環境４００は、例となる実施形態に従って補助ノード伝送援助を提供する。通信環境４００は、ネットワーク４０２および関連ユーザー機器４０４を含む。図１のワイヤレスネットワーク１０２は、図４のネットワーク４０２の１つのインプリメンテーションの例である。図１のユーザー機器１０４および図２のユーザー機器２００は、図４のユーザー機器４０４の例である。議論されるように、ユーザー機器４０４は、ポケットベル、セルラーフォン、セルラースマートフォン、ワイヤレスオーガナイザー、個人デジタル手帳、コンピュータ、ラップトップ、手持ちのワイヤレス通信デバイス、ワイヤレス可能なノートブックコンピュータ等を含むモバイルワイヤレス通信デバイスのようなさまざまなデバイスを含み得る。
【００５７】
動作中、ユーザー機器４０４は、前述の方式のワイヤレス通信チャンネルを介して、ネットワーク４０２と通信している。ネットワーク４０２からユーザー機器４０４への方向のネットワーク４０２とユーザー機器４０４との間の通信は、ダウンリンク通信であり、およびダウンリンクチャンネル４０６にわたるダウンリンク伝送を含む。ユーザー機器４０４からネットワーク４０２への方向のネットワーク４０２とユーザー機器４０４との間の通信は、アップリンク通信であり、およびアップリンクチャンネル４０８にわたるアップリンク伝送を含む。従って、ネットワーク４０２とユーザー機器４０４は、ワイヤレスダウンリンクチャンネル４０６およびワイヤレスアップリンクチャンネル４０８を介してデータパケットを交換する。
【００５８】
ネットワーク４０２は、複数のネットワークノード４１０を含む。図１のワイヤレスネットワークノード１０８と１１８は、図４のノード４１０の例である。ユーザー機器４０４は、ネットワークノード４１０を介して、ネットワーク４０２と通信する。
【００５９】
例となる実施形態に従って、ネットワークノード４１０のうちの１つは、ユーザー機器４０４のためのサービングノード４１２として動作する。サービングノード４１２の機能は、本明細書により詳細に記述されるように、Ｅ−ＵＴＲＡＮ  Ｎｏｄｅ  Ｂノード４１４のような標準ネットワークノードで、またはタイプ１中継ノードのようなネットワーク中継ノード４１６で、または他の低い伝送電力のノードでインプリメントされ得る。サービングノード４１２は、最も強い検出された信号強度または１つの伝送方向でユーザー機器４０４との最も低い結合損失を有するネットワークノード４１０のうちの１つとして選択され得る。例えば、ユーザー機器４０４は、ユーザー機器４０４で最も強い受信されたダウンリンク信号を提供するネットワークノード４１０のうちの１つとしてサービングノード４１２を選択し得る。
【００６０】
例となる実施形態に従って、サービングノード４１４は、ネットワーク４０２とユーザー機器４０４との間の第１の方向（すなわち、ダウンリンク４０６またはアップリンク４０８上）の伝送のために使われる。同時に、ネットワークノード４１０のもう１つは、ユーザー機器４０４のための補助ノード４１８として動作する。補助ノード４１８の機能は、本明細書により詳細に記述されるように、Ｅ−ＵＴＲＡＮ  Ｎｏｄｅ  Ｂノード４２０のような標準ネットワークノードで、またはタイプ１中継ノードのようなネットワーク中継ノード４２２で、または他の低電力伝送ノードでインプリメントされ得る。補助ノード４１８は、ネットワーク４０２とユーザー機器４０４との間の第２の方向（すなわち、アップリンク４０８またはダウンリンク４０６上）の伝送のために使われる。従って、例となる実施形態に従って、補助ノード４１８は、サービングノード４１２に伝送援助を提供する。
【００６１】
例となる実施形態に従って、補助ノード４１８は、アップリンク４０８またはダウンリンク４０６上に伝送援助を提供し得る。アップリンク補助ノード４２４は、アップリンク４０８上に伝送援助を提供する。アップリンク補助ノード４２４が使用中のとき、アップリンク補助ノード４２４は、アップリンク４０８上のユーザー機器４０４からネットワーク４０２への伝送のために使われ、およびサービングノード４１２は、ダウンリンク４０６上のネットワーク４０２からユーザー機器４０４への伝送のために使われる。この場合において、サービングノード４１２は、アップリンク４０８上のユーザー機器４０４からの伝送の受信器として動作しまたは動作しないかもしれない。ダウンリンク補助ノード４２６は、ダウンリンク４０６上の伝送援助を提供する。ダウンリンク補助ノード４２６が使用中のとき、ダウンリンク補助ノード４２６は、ダウンリンク４０６上のネットワーク４０２からユーザー機器４０４への伝送のために使われ、およびサービングノード４１２は、アップリンク４０８上のユーザー機器４０４からネットワーク４０２への伝送のために使われる。この場合において、サービングノード４１２は、ダウンリンク４０６上のユーザー機器４０４への送信器として動作しまたは動作しないかもしれない。
【００６２】
例となる実施形態に従って、サービングノード４１２は、選択補助ノード機能４２８を含み、そこによって、サービングノード４１２は、ネットワーク４０２とユーザー機器４０４との間の最もよい利用可能なダウンリンクチャンネル４０６上のダウンリンク伝送およびアップリンクチャンネル４０８上のアップリンク伝送を提供するために、伝送援助として補助ノード４１８を選択する。以下により詳細に記述されるように、サービングノード４１２が、第１の方向のネットワーク４０２とユーザー機器４０４との間の伝送のために使われるとき、選択補助ノード機能４２８は、補助ノード４１８として動作するために、ネットワーク４０２とユーザー機器４０４との間の伝送にとって、第２の方向のサービングノード４１２よりよいチャンネル状況を有するノード４１０のうちの他の１つ以上を選択するように使われる。例えば、サービングノード４１２が、ダウンリンク４０６上のダウンリンク伝送のために使われる場合、選択補助ノード機能４２８は、アップリンク補助ノード４２４として動作するために、アップリンク４０８上のユーザー機器４０４と用いて、サービングノード４１２より強いチャンネル信号を有するノード４１０のうちの他の１つ以上を選択し得る。ノード４１０のうち１つより多くのが、補助ノード４１８として動作するように選択されるための選択補助ノード機能４２８の状況を満たす場合、ノード４１０のうちの１つより多くのは、補助ノード４１８として動作するように選択され得る。補助ノードとして動作するように選択補助ノード機能４２８によって選択されたノード４１０のうちの１つ以上は、補助ノードセット４３０を形成する。
【００６３】
例となる実施形態に従って、補助ノード４１８は、サービングノード４１２のための伝送援助を提供するが、サービングノード４１２は、なお、ネットワーク４０２とユーザー機器４０４との間のメインインターフェースであり、およびネットワーク４０２とユーザー機器４０４との通信をコントロールするのに関与する。従って、以下により詳細に記述されるように、サービングノード４１２は、ネットワーク４０２とユーザー機器４０４との間の通信をコントロールするために使われるさまざまなスケジュールパラメーター４３２を生成し、および補助ノードセット４３０の１つ以上の補助ノードにスケジュールパラメーター４３２を提供する。補助ノード４１８が、アップリンク補助ノード４２４として動作しているとき、アップリンクチャンネル４０８上のアップリンク通信のユーザー機器４０４から受信された受信データ４３４は、ネットワーク４０２上の配信としてサービングノード４１０に提供される。スケジュールパラメーター４３２の通信および受信データも、サービングノード４１２と補助ノード４１８との間の他の通信も、ネットワークバックホール４３６にわたって提供され得る。
【００６４】
リンク適応は、ラジオリンク上の状況へのワイヤレス接続に使われる変調およびコード化スキームのマッチングを指す。リンク適応のプロセスは、ダイナミックなものであり、変調およびコード化スキームの電力メーターは、ラジオリンク状況が変わるとき、変わり得る。例となる実施形態に従って、サービングノード４１２は、補助ノード４１８が伝送援助を提供していることに対して、チャンネル、アップリンクチャンネル４０８またはダウンリンクチャンネル４０６上のリンク適応を提供するためのリンク適応機能４３８を含み得る。リンク適応機能４３８は、変わるチャンネル状況にマッチするように変調およびコード化スキーム、電力、またはチャンネル上の伝送の他のパラメーターを適応するためにバックホール４３６にわたってサービングノード４１２に補助ノード４１８によって提供される関連性のあるチャンネルに対して、チャンネル品質データ４４０を使用する。代替的に、リンク適応機能４３８は、補助ノード４１８が、再伝送統計を用いて、以下により詳細に記述されるような方式で伝送援助を直接に提供していることでチャンネルの品質を決定し得る。
【００６５】
図４の説明図は、異なる実施形態がインプリメントされ得る方式に物理的または構成の制限を意味するべきではない。他の部品は、説明されるものを加えてまたは代わりに使われ得る。いくつかの部品は、いくつかの実施形態に必要ではないかもしれない。また、ブロックは、いくつかの機能の部品を説明するように表される。これらのブロックのうちの１つ以上は、異なる有利な実施形態でインプリメントされるとき、異なるブロックに結合され得または分けられ得る。
【００６６】
図５は、例となる実施形態に従って補助ノード伝送援助を提供するための方法５００を説明するフローチャートである。例えば、方法５００は、ワイヤレスネットワークとワイヤレスユーザー機器との間のワイヤレス通信の伝送援助を提供するために、図４の通信環境４００でインプリメントされ得る。
【００６７】
ワイヤレスネットワークとワイヤレスユーザー機器との間のメインインターフェースを提供するためのサービングノードが選択される（ステップ５０２）。選択されたサービングノードは、ワイヤレスネットワークとワイヤレスユーザー機器との間の第１の方向の伝送（すなわち、ダウンリンク伝送またはアップリンク伝送）のために使われる（ステップ５０４）。もう１つの例において、サービングノードは、両方の方向の伝送のために使われる。例えば、ステップ５０２は、ユーザー機器のためのサービングノードであるように、ダウンリンク上の最も強い受信信号電力を有するネットワークノードを選択するユーザー機器を含み得る。ユーザー機器は、サービングノードがあるように、ユーザー機器が最も強い参照信号受信電力（ＲＳＲＰ）を受信するネットワークノードを選択し得る。この場合において、サービングノードはノードであり、それによってユーザー機器がそのダウンリンクコントロール信号を受信し、およびステップ５０４は、サービングノードからユーザー機器へのダウンリンク伝送のためのサービングノードを用いることを含む。上に議論されるように、例えば、ロングタームエボリューションアドバンストネットワークのインプリメンテーションにおいて、ステップ５０２の選択されたサービングノードは、Ｅ−ＵＴＲＡＮ  Ｎｏｄｅ  Ｂノードまたは中継ノードであり得る。代替的に、ステップ５０２の選択されたサービングノードは、他のワイヤレス通信ネットワークのＥ−ＵＴＲＡＮ  Ｎｏｄｅ  Ｂノードまたは中継ノードに類似な機能を提供する任意のネットワークノードであり得る。
【００６８】
サービングノードに伝送援助を提供するための１つ以上の補助ノードが選択される（ステップ５０６）。選択された補助ノードは、第２の方向のネットワークとユーザー機器との間の伝送のために（すなわち、アップリンク伝送またはダウンリンク伝送のために）使われる（ステップ５０８）。ステップ５０６は、第２の方向のネットワークとユーザー機器との間に、サービングノードよりよいワイヤレスチャンネル接続を提供する１つ以上のネットワークノードを、補助ノードとして動作するように選択することを含み得る。例えば、サービングノードがネットワークからユーザー機器へのダウンリンク伝送のために使われる場合、ステップ５０６は、ユーザー機器とネットワークとの間に、サービングノードより強いアップリンク接続を提供する１つ以上のノードを、補助ノードとして動作するように選択することを含み得る。この場合において、選択された補助ノードは、アップリンク補助ノードであり、およびステップ５０８は、ユーザー機器からネットワークへのアップリンク伝送のためのアップリンク補助ノードを用いることを含み得る。上に議論されるように、ステップ５０６の選択された補助ノードは、例えば、ロングタームエボリューションアドバンストネットワークのインプリメンテーションのＥ−ＵＴＲＡＮ  Ｎｏｄｅ  Ｂノードまたは中継ノードにおいて、インプリメントされ得る。代替的に、ステップ５０６の選択された補助ノードは、他のワイヤレス通信ネットワークのＥ−ＵＴＲＡＮ  Ｎｏｄｅ  Ｂノードまたは中継ノードに類似な機能を提供する任意のネットワークノードでインプリメントされ得る。
【００６９】
例となる実施形態に従う伝送援助のための補助ノードを選択し、かつ使う詳細な例は、ここで表される。この例において、例となる実施形態に従うアップリンク伝送援助を提供するアップリンク補助ノードの選択および使用は、詳細に記述される。しかし、例となる実施形態がダウンリンク補助ノードによって提供されるダウンリンク伝送援助も含むことは理解される。ダウンリンク補助ノードの選択および使用はまた、以下により詳細に記述される。
【００７０】
前述のように、ワイヤレスユーザー機器は、参照信号受信電力のようなダウンリンク信号強度に基づいて、サービングノードを選択し得る。しかし、サービングノードは、ユーザー機器からの弱いアップリンク信号を受信し得る。例となる実施形態に従って、サービングノードが弱いアップリンク信号を受信するとき、サービングノードは、アップリンク伝送電力を減少するために、ユーザー機器からのアップリンク伝送を助けるようにアップリンク補助ノードを選択し得る。アップリンク伝送電力を減少することは、全部のアップリンク干渉を減少する。
【００７１】
例となる実施形態に従って、アップリンク補助ノードは、ワイヤレスユーザー機器からワイヤレスネットワークへのアップリンク伝送（または再伝送）を援助する。この例において、ユーザー機器は、サービングノードからのダウンリンクコントロール信号を受信する。サービングノードは、ワイヤレスネットワークバックホールにわたってアップリンク補助ノードと通信する。バックホールにわたるサービングノードとアップリンク補助ノードとの間の通信は、例えば、ユーザー機器からのアップリンク伝送のアップリンク補助ノードによって受信されたデータも連動コントロール情報も含み得る。例となる実施形態に従って、サービングノードは、ユーザー機器からのアップリンク伝送にかかわりまたはかかわらないかもしれない。
【００７２】
図６は、例となる実施形態に従うアップリンク補助ノードを選択するための方法のメッセージフローを説明するダイヤグラムである。図６に説明されるメッセージフローは、図５のフローチャートに説明される方法のステップ５０６の１つのインプリメンテーションに生じるメッセージフローの例である。図６は、ユーザー機器６００、サービングノード６０２、およびアップリンク補助ノード６０４の間のメッセージフローを説明する。図６に説明されるメッセージフローは、ユーザー機器６００がサービングノード６０２を選択した後に開始し、およびユーザー機器６００とサービングノード６０２との間の通信は確立される。
【００７３】
例となる実施形態に従うアップリンク補助ノード６０４の選択の前に、サービングノード６０２と通信しているユーザー機器６００は、アップリンク補助ノード６０４のような動作を考慮され得るネットワークノードから受信されたダウンリンク信号６０８のダウンリンク信号電力６０６を測定する。ダウンリンク信号電力測定６０６は、サービングノード６０２のガイダンスのもとに、ユーザー機器６００によって行われ得る。ダウンリンク信号電力測定６０６は、ノードからの測定された信号電力が指定された閾値にわたるように、ある測定イベントが満たされるまで行われ得る。代替的に、ダウンリンク信号電力測定６０６は、選択された時間期間の間に行われ得る。
【００７４】
測定イベントが満たされ、または選択された時間期間が終了するとき、ユーザー機器６００は、サービングノード６０２に得られた測定結果６１０を報告する。例えば、測定結果６１０は、多数のノードに対して、結合損失を引いた伝送電力を表す参照信号受信電力を含み得る。
【００７５】
ユーザー機器６００から受信された測定結果６１０から、サービングノード６０２は、ノードに対してユーザー機器６００からの結合損失６１２を決定する。結合損失６１２を決定するために、サービングノード６０２は、ノードの伝送電力を知るべき。例えば、Ｅ−ＵＴＲＡＮ  Ｎｏｄｅ  Ｂノードのための伝送電力は４３ｄＢｍであり得るが、タイプ１中継ノードのための伝送電力は３０ｄＢＭまたは３６ｄＢｍであり得る。伝送電力値は、サービングノード６０２を含むネットワークノードの間に、信号伝達または他のタイプの上層信号伝達に基づくＸ２インターフェースのようなより上層信号伝達を介して交換され得る。伝送電力値の交換は、最初に一回を行われ得、および特定のノードの伝送電力が変えられ、または新しい中継ノードまたは他のノードがネットワークに加えられるときのように新しいネットワークノードが加えられるときのみ繰り返され得る。もう１つの実施形態において、伝送電力値の交換は、周期的に行われ得る。代替的に、サービングノード６０２は、その特定のノードのための結合損失を決定する必要があるとき、アップリンク補助ノード６０４のような動作を考慮されるもう１つのノードの伝送電力を質問し得る。
【００７６】
決定された結合損失から、サービングノード６０２は、候補のアップリンク補助ノードを決定する。例えば、特定のノードの結合損失がサービングノード６０２の結合損失よりいい場合、次に、その特定のノードは、アップリンク補助ノード６０４のための候補のうちの１つとして選択され得る。従って、ユーザー機器６００のために選択される候補のアップリンク補助ノードは、０、１または複数であり得る。
【００７７】
例となる実施形態に従って、候補のノードからユーザー機器６００へのリンクの品質と結合しているサービングノード６０２から候補のノードへのリンクの品質の結合リンク品質はまた、候補のアップリンク補助ノードを選択するとき、考慮され得る。結合リンク品質は、結合損失によって表されるような候補のノードとユーザー機器６００との間のリンクの品質に加えて、候補のアップリンク補助ノードを選択するために使われ得る。結合リンク品質はまた、以下により詳細に記述されるように、ダウンリンク補助ノードを選択するとき、使われ得る。
【００７８】
アップリンク補助ノードの候補セットが決定される後に、サービングノード６０２は、ノードがユーザー機器６００のためのアップリンク補助ノード６０４として動作することが適切であるか否かを決定するために、各候補のアップリンク補助ノードにリクエスト６１４を送信する。リクエスト６１４は、サービングノード６０２からアップリンク補助ノード６０４に送信された質問としてインプリメントされ得る。リクエスト６１４は、ラジオリソースコントロール（ＲＲＣ）信号伝達または信号伝達に基づくＸ２のようなより上層信号伝達を介して、候補のアップリンク補助ノードに送信され得る。質問は、ユーザー機器６００のためのアップリンク補助ノード６０４として動作し得る候補のノードからの応答６１６によって続かれ得る。サービングノード６０２と各候補の補助ノードとの間のこの質問−応答手順は、ネットワークバックホールまたはワイヤレスバックホールにわたって起こり得る。
【００７９】
質問−応答手順の終わりで、アップリンク補助ノードセット６１８が決定される。アップリンク補助ノードセット６１８は、ユーザー機器６００のためのアップリンク補助ノードからなり、およびユーザー機器６００のためのアップリンク補助ノードとして動作するのに適切であるように決定される各候補のノードを含む。アップリンク補助ノードによって取られるリソースを制限するために、アップリンク補助ノードセットのアップリンク補助ノードの数は制限され得る。例えば、タイプ１中継ノードを含む典型的なワイヤレスネットワークにおいて、アップリンク補助ノードは、普通に中継ノードであり、およびアップリンク補助ノードの数は、１つまたは２つに制限され得る。補助ノードの数上の他の制限は、他の例となる実施形態に使われ得る。
【００８０】
そのゆえに、例となる実施形態に従って、アップリンク補助ノードセット６１８は、０、１、または複数のアップリンク補助ノードを含み得る。例えば、タイプ１中継ノードを含む典型的なワイヤレスネットワークにおいて、アップリンク補助ノードセット６１８は、典型的に、１つのアップリンク補助ノードを含み得、およびアップリンク補助ノードセット６１８の１つのアップリンク補助ノードは、一般的に、ユーザー機器６００に最も近い中継ノードであり得る。
【００８１】
例となる実施形態に従って、アップリンク補助ノードセット６１８は、ユーザー機器６００に伝送されまたは伝送されないかもしれない。アップリンク補助ノードセット６１８がユーザー機器６００に送信される場合、専用のラジオリソースコントロール（ＲＲＣ）信号伝達は、ユーザー機器６００に通知するために使われ得る。
【００８２】
図７は、例となる実施形態に従うアップリンク補助ノードを使うための方法のメッセージフローを説明するダイヤグラムである。図７に説明されるメッセージフローは、図５のフローチャートダイヤグラムに説明される方法のステップ５０８の１つのインプリメンテーションに生じるメッセージフローの例である。図７は、ユーザー機器７００、サービングノード７０２、およびアップリンク補助ノード７０４の間のメッセージフローを説明する。図７に説明されるメッセージフローは、補助ノード７０４が、前述の方式のように、ユーザー機器７００のために選択された後に開始する。
【００８３】
例となる実施形態に従うアップリンク補助ノードの使用は、ユーザー機器７００がアップリンク上に伝送するようにリクエストするとき、開始する。例えば、ユーザー機器７００は、スケジュールリクエストチャンネルを介して、サービングノード７０２に伝送するためのリクエスト７０６を送信し得る。ユーザー機器７００からの伝送するためのリクエスト７０６を受信する反応として、サービングノード７０２は、アップリンクスケジュールパラメーター７０８を確立する。例えば、ユーザー機器７００からの伝送するためのリクエスト７０６を受信する反応として、サービングノード７０２は、アップリンクリソースブロック、伝送時間間隔、変調およびコード化スキーム、およびユーザー機器７００のための伝送モードを予定し得る。サービングノードは、アップリンク補助ノードセットの各アップリンク補助ノードにアップリンクスケジュールパラメーター７０８を送信する。反応として、アップリンク補助ノードセットの各アップリンク補助ノードは、予定された時間でユーザー機器７００からのアップリンク伝送を受信する用意をする。例となる実施形態に従って、サービングノード７０２は、サービングノード７０２によって提供されるスケジュール情報に対して、各アップリンク補助ノードからの承認７１０を受信し得る（しかし必要とされない）。承認が可能にされる場合において、サービングノード７０２からのスケジュールパラメーターを受信する各アップリンク補助ノードは中継する。このことは、ラジオリソースコントロール（ＲＲＣ）信号伝達またはＸ２信号伝達にわたって完成され得る。
【００８４】
干渉またはリソース競争を減少するために、サービングノード７０２およびアップリンク補助ノード７０４は、好ましくは、指示されたリソースブロックのための予定された伝送時間間隔の間に、同じセル内の他のユーザー機器からのスケジュール伝送を避けるべき。例えば、例となる実施形態に従って、あるリソースブロックは、アップリンク補助ノードの動作のために保留され得る。このような保留されたリソースブロックは、アップリンク補助ノードの「リソースゾーン」を定義し得る。サービングノード７０２は、次に、サービングノード７０２がアップリンク補助ノードの援助を必要とするユーザー機器の伝送を予定するとき、このリソースゾーンからのリソースブロックを使う。アップリンク補助ノード７０４がスケジュールパラメーターを受信する間に、コンフリクトがなくて、単純にアップリンク伝送を受信する。代替的に、アップリンク補助ノード７０４がサービングノード７０２のスケジュールパラメーターを受信するとき、指示された伝送時間間隔の指示されたリソースブロックを自動的に予定する。指示されたリソースブロックが、ボイスサービスのような高い優先性の伝送のためのアップリンク補助ノード７０４によって使われる場合、次に、アップリンク補助ノード７０４は、サービングノード７０２に通知し得、そのことは、指示された伝送時間間隔の間のアップリンク受信にかかわらない。
【００８５】
ユーザー機器７００からのアップリンク伝送を受信するためのアップリンク補助ノード７０４を用意するための記述された方法は、単一伝送時間間隔の伝送にも、準永続スケジュールおよび伝送時間間隔バンドルにも適用し得る。準永続スケジュールの場合において、分配されたアップリンクリソースは、周期的に生じる。準永続スケジュールリソースのアクティブ化に関するサービングノード７０２からスケジュールパラメーター７０８を受信するとき、アップリンク補助ノード７０４は、前述の方式に類似な方式で、周期的に、全部のアップリンク準永続スケジュールリソースを保留し得る。伝送時間間隔バンドルの場合において、サービングノード７０２は、アップリンク補助ノード７０４に、ユーザー機器７００がサブフレームバンドル動作のために構成されるか否かを知らせ得る。ユーザー機器７００がサブフレームバンドルのモードである場合、サービングノード７０２からスケジュールパラメーター７０８を受信するとき、アップリンク補助ノード７０４は、連続した４つのサブフレームのためのように、選択された数の連続したサブフレームのためのアップリンクリソースを保留し得る。
【００８６】
例となる実施形態に従って、マルチユーザーの複数入力および複数出力がアップリンクに使われるとき、アップリンク補助ノード７０４は、同じリソースを用いてサービングノード７０２によって提供される伝送時間間隔の間に、なおアップリンク伝送を予定し得る。アップリンク補助ノード７０４は、伝送時間間隔の保留されたリソースブロックを再利用することによって、スペクトル効率を向上させるために調整されたビーム形成も使い得る。
【００８７】
ユーザー機器７００からのアップリンク伝送を受信するためのアップリンク補助ノード７０４を用意した後に、サービングノード７０２は、ユーザー機器７００にアップリンクスケジュールグラント７１２を送信する。アップリンクスケジュールグラント７１２は、サービングノード７０２が、サービングノード７０２から受信されたアップリンクスケジュールパラメーター情報に対して各または少なくとも１つのアップリンク補助ノードからの承認を受信する後、ユーザー機器７００に送信され得る。承認が可能にされない場合において、サービングノード７０２は、アップリンクスケジュールパラメーター情報がサービングノード７０２からアップリンク補助ノードに提供される後に、ある期間の時間でユーザー機器７００にアップリンクスケジュールグラント７１２を送信し得る。
【００８８】
サービングノード７０２からアップリンクスケジュールグラント７１２を受信した後に、ユーザー機器７００は、アップリンク伝送７１４を行う。全関与するアップリンク補助ノードは、アップリンク伝送７１４を受信し、かつデコード化しようとする。サービングノード７０２は、アップリンク伝送７１４を受信しまたはしない、および正しくデコード化しようとしまたはしないかもしれない。アップリンク伝送７１４をうまく受信するアップリンク補助ノードは、バックホールを介して、サービングノード７０２に受信データ７１６を伝送する。アップリンク補助ノード７０４がユーザー機器７００からアップリンク伝送７１４をうまく受信することを仮定すると、サービングノード７０２に受信データ７１６を引き渡すのは少し時間がかかり得る。そのゆえに、サービングノード７０２は、好ましくは、アップリンク補助ノード７０４から受信データ７１６を受信するためのある期間の時間を許可するべき。複数アップリンク補助ノードが伝送に関与する場合において、１つのアップリンク補助ノードがアップリンク伝送７１４をうまく受信し、およびサービングノード７０２に受信データ７１６を引き渡す場合、サービングノード７０２は、アップリンク補助ノード７０４の混成自動反復リクエスト受信器バッファーのような、それらの受信器バッファーのデータを消去するためになおパケットをうまくデコード化していないアップリンク補助ノードに信号を送り得る。
【００８９】
従来の実施に従って、サービングノード７０２は、ユーザー機器７００がアップリンク伝送７１４を行う後に、例えば、４ミリ秒のようなある期間の時間でユーザー機器７００にアップリンク伝送７１４の承認または拒否の承認を送信することになっている。例となる実施形態に従うアップリンク補助ノード７０４が使用中であり、およびサービングノード７０２がアップリンク伝送７１４を正しく受信しまたはしないかもしれないまたはサービングノード７０２がアップリンク伝送を直接に受信しなかった場合において、サービングノード７０２とアップリンク補助ノード７０４との間のバックホール遅延がユーザー機器７００からのアップリンク伝送７１４を受信するために、サービングノード７０２が割り当てられた時間期間内に承認または拒否の承認が送信されるべきか否かを決定することは難しいかもしれない。例となる実施形態に従って、アップリンク補助ノードが使用中であるたびに、サービングノード７０２は、好ましくは、常にユーザー機器７００にアップリンク伝送７１４の承認７１８を送信する。例えば、サービングノード７０２は、物理的混成自動反復リクエスト指示器チャンネル（ＰＨＩＣＨ）を介して、ユーザー機器７００に承認７１８を送信し得る。反応として、ユーザー機器７００は、ユーザー機器の混成自動反復リクエストバッファー内のようなアップリンクデータを保持する。サービングノード７０２が結局はアップリンク伝送データを正しく受信する場合、サービングノード７０２は、新しい伝送を指示することによって、例えば、新しいデータ指示器のビットを切り替えることによってユーザー機器７００からの新しいデータの新しいアップリンク伝送を予定し得る。
【００９０】
サービングノード７０２がアップリンク補助ノード７０４からの受信データ７１６を正しく受信しない場合、サービングノード７０２は、ユーザー機器７００からの再伝送をトリガーし得る。例えば、サービングノード７０２は、物理的ダウンリンクコントロールチャンネルグラントを用いて、適応のアップリンクの混成自動反復リクエスト再伝送をトリガーし得る。適応のアップリンク再伝送がトリガーされるはずのとき、サービングノード７０２は、好ましくは、前述の方式で、アップリンク補助ノードに再伝送のためのスケジュールパラメーター７０８を送信し、およびアップリンク補助ノードからのアップリンク受信をリクエストする。従って、アップリンクの混成自動反復リクエスト再伝送が必要とされる場合、図７のメッセージフローは、アップリンク伝送データが正しく受信され、または混成自動反復リクエスト再伝送の最大数が超えられるまで繰り返される。
【００９１】
例となる実施形態に従って、アップリンク補助ノードセットのアップリンク補助ノードのうちのいくつかまたは全部は、ユーザー機器７００からの全アップリンク伝送に関与しないかもしれない。アップリンク補助ノード７０４がアップリンク伝送７１４に関与するか否かは、アップリンク伝送７１４および通信優先の情報の時間での即座のロードのような因子に依存し得る。
【００９２】
例となる実施形態に従って、少なくとも１つのアップリンク補助ノードが使用中である場合、サービングノード７０２は、ユーザー機器７００からのアップリンク伝送７１４を受信するのにかかわりまたはかかわらないかもしれない。ユーザー機器７００とサービングノード７０２との間のアップリンク／ダウンリンクのアンバランスが厳しくない場合、サービングノード７０２とアップリンク補助ノード７０４の両方は、ユーザー機器７００からのアップリンク伝送７１４を受信するのにかかわり得る。しかし、サービングノード７０２は、ユーザー機器７００とサービングノード７０２との間のアップリンク／ダウンリンクのアンバランスが、特に、５ｄＢを超えるように厳しい場合のアップリンク伝送７１４を受信するのにかかわらないかもしれない。サービングノード７０２がアップリンク伝送７１４を受信するのにかかわらないそれらの場合において、サービングノード７０２は、ユーザー機器７００のためのアップリンク伝送を予定し得、および各アップリンク補助ノードにアップリンクスケジュールパラメーター７０８を送信し得る。しかし、アップリンク補助ノードのみは、アップリンク伝送７１４の受信にかかわる。この場合において、サービングノード７０２は、その自身セルの同じリソースを用いて他のユーザーを予定し得る。サービングノード７０２で結合損失がこの場合のユーザー機器７００にとって十分大きいゆえに、サービングノード７０２のもとで他のユーザー機器へのアップリンク干渉は十分小さい。この場合において、サービングノード７０２は、アップリンク補助ノードからのアップリンク伝送受信の指示を待つ。アップリンク伝送７１４がアップリンク補助ノードのうちの少なくとも１つによって正しく受信される場合、アップリンク伝送７１４は完全である。別に、混成自動反復リクエスト再伝送は、サービングノード７０２を介して提供されるコントロール信号伝達を用いて、他のアップリンク補助ノードに送信され得る。図８は、図５のフローチャートダイヤグラムで説明される方法のステップ５０６の１つのインプリメンテーションの間に調査ノードで行われる方法の例である。
【００９３】
図８は、サービングノードでインプリメントされるような例となる実施形態に従ってアップリンク補助ノードを選択する方法８００のフローチャートである。図８は、図５のフローチャートダイヤグラムで説明される方法のステップ５０６の１つのインプリメンテーションの間にサービングノードで行われる方法の例である。方法８００の記述は、図６で説明されるメッセージフローの上に表される記述と一緒に考慮され得る。
【００９４】
１つ以上のノードのためのダウンリンク信号電力測定は、サービングノードによって、ユーザー機器から受信される（ステップ８０２）。ステップ８０２で受信されたダウンリンク信号電力測定から、サービングノードは、ユーザー機器からノードの各々への結合損失を決定する（ステップ８０４）。前述のように、ステップ８０４で結合損失を決定するために、サービングノードは、ノードの伝送電力を知るべき。決定された結合損失から、サービングノードは、候補のアップリンク補助ノードを決定する（ステップ８０６）。例えば、特定のノードの結合損失がサービングノードの結合損失よりいい場合、次に、その特定のノードは、候補のアップリンク補助ノードのうちの１つとして選択され得る。アップリンク補助ノード候補セットがステップ８０６で決定される後に、サービングノードは、候補ノードがユーザー機器のためのアップリンク補助ノードとして動作するのに適切であるか否かを決定するために、各候補のアップリンク補助ノードにリクエストを送信する（ステップ８０８）。ステップ８０８の質問手順の終わりで、アップリンク補助ノードセットが決定される（ステップ８１０）。前述のように、アップリンク補助ノードセットは、ユーザー機器のためのアップリンク補助ノードからなり、ユーザー機器のためのアップリンク補助ノードとして動作するのに適切であるように決定された各候補のアップリンク補助ノードを含む。
【００９５】
図９は、サービングノードでインプリメントされるように、例となる実施形態に従うワイヤレス通信ネットワークの伝送援助のためのアップリンク補助ノードを使う方法９００のフローチャートである。図９は、図５のフローチャートダイヤグラムで説明される方法のステップ５０８の１つのインプリメンテーションの間にサービングノードで行われる方法の例である。方法９００の記述は、図７で説明されるメッセージフローの上に表される記述と一緒に考慮され得る。
【００９６】
例となる実施形態に従うアップリンク補助ノードの使用は、サービングノードがアップリンク上に伝送するためのユーザー機器からのリクエストを受信するとき、開始する（ステップ９０２）。前述のように、ユーザー機器は、スケジュールリクエストチャンネルを介して、サービングノードに伝送するためのリクエストを送信し得る。ユーザー機器からの伝送するためのリクエストを受信する反応として、サービングノードは、アップリンクスケジュールパラメーターを確立する（ステップ９０４）。例えば、ステップ９０４は、スケジュールアップリンクリソースブロック、伝送時間間隔、変調およびコード化スキーム、およびユーザー機器のための伝送モードを含み得る。サービングノードは、アップリンク補助ノードセットの各アップリンク補助ノードに、ステップ９０４で確立されたアップリンクスケジュールパラメーターを送信する（ステップ９０６）。ユーザー機器からのアップリンク伝送を受信するためのアップリンク補助ノードを用意した後に、サービングノードは、ユーザー機器にアップリンクスケジュールグラントを送信する（ステップ９０８）。前述のように、ステップ９０８は、サービングノードが、ステップ９０６でサービングノードから送信されるアップリンクスケジュールパラメーターの情報に対して、各または少なくとも１つのアップリンク補助ノードからの承認を受信する後に、またはアップリンクスケジュールパラメーターの情報がサービングノードからステップ９０６のアップリンク補助ノードに提供される後のある期間の時間の後に行われ得る。
【００９７】
サービングノードは、ユーザー機器からのアップリンク伝送をうまく受信するアップリンク補助ノードからのアップリンク伝送データを受信する（ステップ９１０）。例となる実施形態に従って、前述のように、アップリンク補助ノードが使用中であるたびに、サービングノードは、好ましくは、常にユーザー機器にアップリンク伝送の承認を送信する（ステップ９１２）。例えば、ステップ９１２は、物理的混成自動反復リクエスト指示器チャンネルを介して、ユーザー機器に承認を送信することを含み得る。サービングノードがアップリンク補助ノードからのアップリンク伝送データを正しく受信しない場合、サービングノードは、再伝送が必要とされることを決定し得る（ステップ９１４）。ステップ９１４で再伝送が必要とされることが決定される場合、許可された再伝送の最大数が超えられるか否かが決定される（ステップ９１６）。許可された再伝送の最大数が超えられない場合、サービングノードは、ステップ９０４に戻ることによって、ユーザー機器からの再伝送をトリガーし得る。従って、再伝送が必要とされる場合、ステップ９０４から始める方法９００のステップは、アップリンク伝送データが正しく受信され、または再伝送の最大数が超えられるまで繰り返される。
【００９８】
リンク適応は、ラジオリンク上の状況へのワイヤレス接続に使われる変調およびコード化スキームのマッチングを指す。リンク適応のプロセスは、ダイナミックなものであり、変調およびコード化スキームの電力メーターは、ラジオリンク状況が変わるとき、変わり得る。例となる実施形態に従って、ユーザー機器とアップリンク補助ノードとの間のアップリンクチャンネルのリンク適応は、サービングノードによってコントロールされ得る。
【００９９】
図１０は、例となる実施形態に従うサービングノードでインプリメントされるようなレート適応の方法１０００のフローチャートである。方法１０００において、サービングノードは、アップリンク補助ノードへのアップリンク伝送のために、アップリンク補助ノードによって提供されるチャンネル状況の情報に基づいて、ユーザー機器によって使われるアップリンクチャンネルのレート適応を行う。
【０１００】
サービングノードが、ユーザー機器とアップリンク補助ノードとの間アップリンクチャンネルの状況のよい認識を有する場合、有効なリンク適応は達成され得る。例となる実施形態に従って、アップリンク補助ノードは、アップリンク補助ノードとユーザー機器と間のアップリンクチャンネルの状況を測定し得、およびサービングノードにチャンネル状況を報告し得る。サービングノードは、アップリンク補助ノードからのチャンネル状況の情報を受信する（ステップ１００２）。
【０１０１】
アップリンクチャンネル状況測定は、ユーザー機器からのアップリンク伝送データまたはサウンディング参照信号伝送に基づき得る。サウンディング参照信号伝送が使われる場合、サービングノードは、アップリンク補助ノードにサウンディング参照信号構成情報を提供し得る。
【０１０２】
アップリンク補助ノードは、チャンネル状況の変化または他のトリガーの発生に基づいて、サービングノードにアップリンクチャンネル状況を報告し得る。例えば、アップリンク補助ノードは、最初にサービングノードにアップリンクチャンネル状況を報告し得、および、次に、チャンネル状況が選択された量より多い量だけ変わるたびに再び報告し得る。代替的に、アップリンク補助ノードは、１つ以上のタイマーに基づいて、周期的にサービングノードにチャンネル状況を報告し得る。周期的な報告の場合において、報告の期間を確立するために使われるタイマーの値は、ユーザー機器の速度（少なくとも一部分は）に基づいて選択され得る。従って、ユーザー機器が速く移動する場合、チャンネル状況は、より速く変わりそうであり、およびサービングノードに報告されたアップリンクチャンネル状況の間のより短い時間期間は適切である。
【０１０３】
サービングノードは、受信されたチャンネル状況の情報を用いて、ユーザー機器からアップリンク補助ノードへのアップリンク伝送のために使われたアップリンクチャンネルのリンク適応を行う（ステップ１００４）。ユーザー機器とアップリンク補助ノードとの間のアップリンクチャンネルの状況がサービングノードに提供される場合において、はるかにより有効なリンク適応は達成され得る。例えば、空間多重化、ビーム形成、またはマルチユーザーの複数入力および複数出力は、スペクトル効率を向上させるために適用され得る。
【０１０４】
バックホールにわたる遅延のために、サービングノードに報告されたアップリンクチャンネル状況は、完全に正確ではないかもしれない。特に、サービングノードに報告されたアップリンクチャンネル状況は、速いフェーディングチャンネル状況のもとのような速く変わるチャンネル状況のもとで最も不正確でありそう。しかし、サービングノードに報告されたアップリンクチャンネル状況は、なお、遅い速度のユーザー機器に対して、以下に記述される方式のように、遅いリンク適応に有用であり得る。
【０１０５】
図１１は、例となる実施形態に従うサービングノードでインプリメントされるようなレート適応の方法１１００のフローチャートである。方法１１００において、サービングノードは、サービングノードによって収集された再伝送統計に基づいて、アップリンク補助ノードへのアップリンク伝送のために、ユーザー機器によって使われるアップリンクチャンネルのレート適応を行う。
【０１０６】
例となる実施形態に従って、サービングノードは、一般的に、アップリンク補助ノードとユーザー機器との間のリンク状況を変えることを知らないかもしれない。このゆえに、サービングノードへのユーザー機器アップリンク伝送のために割り当てられた変調およびコード化スキームは、ユーザー機器とアップリンク補助ノードとの間に使われるのに最もよい変調およびコード化スキームとかなり異なり得る。サービングノードがアップリンク受信にかかわらない場合において、このことは、必要なデータレートより低く引き起こし得る。
【０１０７】
例となる実施形態に従って、サービングノードは、アップリンク補助ノードから、混成自動反復リクエスト再伝送統計のような再伝送統計を収集する（ステップ１１０２）。ステップ１１０２は、タイマーを用いてまたはスライドウィンドウを用いて、再伝送統計の収集を含み得る。
【０１０８】
図１２は、例となる実施形態に従うスライドウィンドウ技術を用いて、混成自動反復リクエスト再伝送統計を得る例を説明する。図１２の各数字１２０２は、アップリンク補助ノードで正しく受信されるべき特定のアップリンク伝送のために要求される混成自動反復リクエスト伝送の数を表す。ウィンドウ１２０４は、伝送数字１２０２の選択された数字を含む。例えば、ウィンドウ１２０４によって含まれる伝送数字１２０２の選択された数字を定義するウィンドウ１２０４の長さは、１５の伝送数字１２０２を含むように選択され得る。ウィンドウ１２０４のための他の所望の長さは、例となる実施形態に従って使われ得る。時間プロセスのように、ウィンドウ１２０４は、一番最近の伝送数字１２０２を含むように矢印１２０６によって指示される方向にスライドする。所与の時間インスタンスでのウィンドウ１２０４によって含まれるアップリンク伝送数字１２０２は、時間インスタンスのための混成自動反復リクエスト再伝送統計を得るように平均される。図１２で表される例において、ウィンドウ１２０４の説明された位置によって表される時間インスタンスでの混成自動反復リクエスト伝送の平均は、おおよそ１．１である。例となる実施形態に従って、サービングノードは、記述された方法によって得られる再伝送統計を更新し得、および再伝送統計に基づいて遅いリンク適応を行い得る。
【０１０９】
サービングノードは、収集された再伝送統計に基づいて、アップリンクチャンネルの遅いリンク適応を提供する。サービングノードがアップリンク伝送を受信するのにかかわる場合において、サービングノードは、アップリンク伝送されたサウンディング参照信号および電力ヘッドルーム報告に基づいて、変調およびコード化スキームの指数を最初に決定する。サービングノードがアップリンク伝送を受信するのにかかわらない場合において、サービングノードは、アップリンク補助ノードとユーザー機器との間の計算された結合損失に基づいて、変調およびコード化スキームを最初に決定し、および最初の変調およびコード化スキームの指数を決定する。どちらの場合においても、デルタ値は、上に決定されるような再伝送統計に基づいて決定される（ステップ１１０４）。例えば、決定された混成自動反復リクエスト再伝送統計がある閾値以下である場合、デルタ値は、＋１または＋２のような正の数字であり得る。再伝送統計がある閾値の値以上である場合、デルタ値は、−１または−２のような負の数字であり得る。
【０１１０】
サービングノードは、アップリンク伝送のために使われるべき新しい変調およびコード化スキームを得るために、事前に決定された変調およびコード化スキームの指数の値に計算されたデルタ値を加える（ステップ１１０６）。新しい変調およびコード化スキームは、次に、アップリンクチャンネルに適用される（ステップ１１０８）。従って、データレートは、アップリンク伝送をうまく引き渡すように要求された再伝送の平均数が増加されすぎないことを指示する再伝送統計の間にゆっくり増大され得る。同様に、データレートは、アップリンク伝送をうまく引き渡すように要求された再伝送の平均数が高すぎるとき、減少される。
【０１１１】
ユーザースループットが最大化される必要がある適用に対して、追加の考慮は、リンク適応が、ユーザー機器とサービングノードとの間のリンク、ユーザー機器とアップリンク補助ノードとの間のリンク、またはこれらの２つのリンクの結合に基づくべきか否かを決定するのに必要とされ得る。リンク適応が、ユーザー機器とアップリンク補助ノードとの間のリンクまたはリンクの結合に基づく場合、ユーザー機器は、このリンク上のアップリンク信号がより強いゆえに、より高いデータレートの変調およびコード化スキームを使い得る。しかし、アップリンク補助ノードにとって、サービングノードに受信されたアップリンク伝送データパケットを中継するのに余分の時間がかかり、それによって全部のスループットに影響する。そのゆえに、例となる実施形態に従って、全部のスループットは、リンク適応スキームが基づくべきリンクを決定することを考慮に入れられ得る。
【０１１２】
例となる実施形態に従って、サービングノードは、前述の方式で決定された再伝送統計を用いて、ユーザー機器の伝送電力をコントロールし得る。例えば、平均の混成自動反復リクエスト再伝送統計が選択された閾値の値以下であるとき、サービングノードは、物理的アップリンク共用チャンネルにわたってユーザー機器の伝送電力を減少するように、ユーザー機器に伝送電力コントロールコマンドを送信し得る。この場合において、物理的アップリンクコントロールチャンネルがなお、サービングノードに到達する必要があるゆえに、物理的アップリンクコントロールチャンネル伝送電力が減少されることが可能ではないかもしれないことは注意されるべき。平均の混成自動反復リクエスト再伝送統計が選択された閾値の値以上であるとき、サービングノードは、物理的アップリンク共用チャンネルにわたってユーザー機器の伝送電力を増大するように、ユーザー機器に伝送電力コントロールコマンドを送信し得る。
【０１１３】
上に表される例において、ユーザー機器からワイヤレスネットワークへのアップリンク方向の伝送援助を提供するためのアップリンク補助ノードの選択および動作は、詳細に記述される。しかし、例となる実施形態に従う伝送援助を提供する補助ノードが、ワイヤレスネットワークからユーザー機器へのダウンリンク方向の伝送援助を提供するためのダウンリンク補助ノードであり得ることは理解されるべき。例となる実施形態に従うダウンリンク補助ノードの選択および使用は、本明細書に提供される詳細な記述に基づいて当業者にとって明白になるような適切な修正と共に、アップリンク補助ノードに対して上に詳細に記述されたそれで理解し得る。
【０１１４】
例となる実施形態に従って、ダウンリンク補助ノードは、ワイヤレスネットワークからユーザー機器へのダウンリンク関連伝送を援助し、およびサービングノードのガイダンスのもとである関連動作を行い得る。例となる実施形態に従うダウンリンク補助ノードは、アップリンク関連動作を援助しない。例となる実施形態に従うダウンリンク補助ノードの使用は、いくつかの利点を提供する。ダウンリンク補助ノードがダウンリンク伝送のために使われるとき、アップリンク伝送は、サービングノードの選択が結合損失に基づくゆえに、よりよい性能を有する。全アップリンク伝送は、サービングノードに加えられる。ユーザー機器は、アップリンクでダウンリンク補助ノードに伝送することを必要としなく、このことは、ユーザー機器バッテリー電力を保存し得る。
【０１１５】
Ｅ−ＵＴＲＡＮ  Ｎｏｄｅ  Ｂノードのような標準ネットワークノードか中継ノードかは、例となる実施形態に従うダウンリンク補助ノードとして動作するように選択され得る。ユーザー機器が、最小結合損失に基づいて、中継ノードをサービングノードとして選択する場合、ドナーＥ−ＵＴＲＡＮ  Ｎｏｄｅ  Ｂノードは、ユーザー機器へのダウンリンク伝送でサービングノードを援助するために、ダウンリンク補助ノードとして動作するように選択され得る。この場合において、サービングノードは、データが、オリジナルに、ダウンリンク補助ノードとして動作するドナーノードによってサービングノードとして動作する中継ノードに転送されるゆえに、ダウンリンク補助ノードにダウンリンク伝送データを転送する必要がないかもしれなく、およびドナーノードはデータのコピーを保持し得る。
【０１１６】
例となる実施形態に従って、ダウンリンクグラントは、サービングノードから伝送される。物理的ダウンリンク共用チャンネルは、ダウンリンク補助ノードから伝送される。例となる実施形態に従って、ダウンリンク補助ノードからのダウンリンク伝送のデータは、同時にサービングノードから伝送されまたはされないかもしれない。
【０１１７】
例となる実施形態に従って、ダウンリンク補助ノードとユーザー機器との間のダウンリンクのリンク適応は、チャンネル品質指示器、事前コード化マトリックス指示器、およびユーザー機器からサービングノードへのランク指示フィードバックに基づき得る。サービングノードがダウンリンク伝送にかかわらない場合において、サービングノードは、受信されたチャンネル品質指示器、事前コード化マトリックス指示器、およびランク指示フィードバックをダウンリンク補助ノードに引き渡し得る。ダウンリンク補助ノードは、スケジュール機能を行い、および次に、物理的ダウンリンクコントロールチャンネル伝送のためのサービングノードに送信し戻る。より積極的な変調およびコード化スキームは、ダウンリンク補助ノードがダウンリンクのデータ伝送を援助することを考慮して、ダウンリンク伝送のためのサービングノードによって選択され得る。代替的に、ユーザー機器は、ダウンリンク補助ノードとユーザー機器との間のダウンリンクの品質を測定し得、およびサービングノードがより適切な変調およびコード化スキームの選択を作り得るようにサービングノードにダウンリンク品質を報告し戻し得る。サービングノードとダウンリンク補助ノードとの間の信号伝達の変換は、バックホール通信を介して完成される。
【０１１８】
シミュレーションは、例となる実施形態に従う補助ノード伝送援助の性能を確かめるために行われた。使われたシミュレーションパラメーターは、表１に示される。
【０１１９】
表１：シミュレーションパラメーター
【０１２０】
【表１】
2011193466.tif 000003
例となる実施形態に従うアップリンク補助ノードの使用を用いて、信号対干渉−プラス−ノイズのレートの性能増大を示すシミュレーション結果は、図１３で説明される。図１３は、単一Ｅ−ＵＴＲＡＮ  Ｎｏｄｅ  Ｂノードおよびさまざまな数のタイプ１中継ノードを含むシミュレーションに対する模擬アップリンク信号対干渉−プラス−ノイズの累積的な配信機能を示す。ライン１３０２は、アップリンク補助ノードの使用がない２つの中継ノードを用いる場合に対するシミュレーション結果を示す。ライン１３０４は、例となる実施形態に従うアップリンク補助ノードを有する２つの中継ノードを用いる場合に対するシミュレーション結果を示す。ライン１３０６は、例となる実施形態に従うアップリンク補助ノードを有する４つの中継ノードを用いる場合に対するシミュレーション結果を示す。ライン１３０８は、例となる実施形態に従うアップリンク補助ノードを有する８つの中継ノードを用いる場合に対するシミュレーション結果を示す。
【０１２１】
図１３から、例となる実施形態に従うアップリンク伝送援助のためのアップリンク補助ノードを加えることによって、信号対干渉−プラス−ノイズの累積的な配信機能が、特にセルエッジでのユーザーにとって、全体的に向上されることは理解され得る。中継ノードの数を増加すること、および従って潜在的なアップリンク補助ノードの数を増加することは、受信された信号対干渉−プラス−ノイズのレートをさらに増大する。中継ノードの数を増加することによって、より多くのノードはアップリンク補助ノードセット含まれ得、より多くのユーザー機器が、中継ノードに関連付けられ、およびより少ない伝送する電力を使用するゆえに、干渉は減少される。しかし、ゲインは、アップリンク補助ノードの数が増加するにつれてより量が少なくなる。
【０１２２】
例となる実施形態に従うダウンリンク補助ノードの使用を用いて、信号対干渉−プラス−ノイズのレートの性能増大を示すシミュレーション結果は、図１４で説明される。図１４は、単一Ｅ−ＵＴＲＡＮ  Ｎｏｄｅ  Ｂノードおよびさまざまな数のタイプ１中継ノードを含むシミュレーションに対する模擬ダウンリンク信号対干渉−プラス−ノイズの累積的な配信機能を示す。ライン１４０２は、ダウンリンク補助ノードの使用がない２つの中継ノードを用いる場合に対するシミュレーション結果を示す。ライン１４０４は、例となる実施形態に従うダウンリンク補助ノードを有する２つの中継ノードを用いる場合に対するシミュレーション結果を示す。ライン１４０６は、例となる実施形態に従うダウンリンク補助ノードを有する４つの中継ノードを用いる場合に対するシミュレーション結果を示す。ライン１４０８は、例となる実施形態に従うダウンリンク補助ノードを有する８つの中継ノードを用いる場合に対するシミュレーション結果を示す。
【０１２３】
図１４は、例となる実施形態に従うダウンリンク伝送援助のためのダウンリンク補助ノードを用いた性能のゲインが、例となる実施形態に従うアップリンク伝送援助のためのアップリンク補助ノードを用いて得られたそれと類似していることを示す。この場合において、サービングノードに関連するユーザー機器がアップリンクの結合損失に基づくことを仮定すると、ダウンリンク補助ノードを適用することによって、干渉−プラス−ノイズのレートゲインに約８ｄＢの信号がダウンリンクで達成され得、およびユーザー機器の５０％より多くのがダウンリンクでの干渉−プラス−ノイズのレートゲインに２ｄＢより多い信号を達成し得ることは理解され得る。中継ノードの増大された数と共に、より多くのノードは、ダウンリンク補助ノードセットに含まれ得、結果としてユーザー機器での干渉−プラス−ノイズのレートに受信信号のさらなる向上を生じる。
【０１２４】
例となる実施形態のうちの１つ以上は、従って、ワイヤレスネットワークのサービングノードを用いる第１の方向にワイヤレスネットワークとワイヤレスユーザー機器との間の伝送を提供するが、ワイヤレスネットワークの補助ノードを用いる第２の方向にワイヤレスネットワークとワイヤレスユーザー機器との伝送を提供する。補助ノードは、第２の方向のネットワークとユーザー機器との間に、サービングノードよりよいチャンネル状況を提供するのに基づいて選択される。補助ノードは、従って、ユーザー機器とネットワークとの間の最もよい利用可能なダウンリンクおよびアップリンク通信を提供するために、サービングノードに対して、伝送援助を提供する。
【０１２５】
異なって描かれる実施形態のフローチャートおよびブロックダイヤグラムは、異なる例となる実施形態の装置および方法のいくつか可能なインプリメンテーションの構造、機能、および動作を説明する。この点について、フローチャートまたはブロックダイヤグラムの各ブロックは、モジュール、部分、機能、または動作またはステップの一部を表し得る。いくつか代替的なインプリメンテーションにおいて、ブロックに述べられた１つの機能または複数の機能は、図に述べられた順序から離して生じ得る。例えば、いくつかの場合において、連続して示される２つのブロックは、本質的に同時に実行され得、またはブロックは、時々、関係された機能に依存して、逆の順序に実行され得る。
【０１２６】
異なる例となる実施形態の記述は、説明および記述の目的のために表され得、および完全になる傾向がではなく、開示された形式に実施形態を制限しない。多くの修正および変化は、普通の当業者に明白である。例となる実施形態に従って、ユーザー機器は、モバイルフォンに関して記述される。異なる例となる実施形態は、モバイルプラットホーム、静止プラットホーム、ランドベース構造、アクアティックベース構造、スペースベース構造、スマートフォン、個人デジタル手帳、デスクトップコンピュータ、サーバーコンピュータ、セットトップボックス、ゲームコンソール、ワークステーション、および他の適切なプラットホームのような記述されたものを加えてまたは代わりの他のタイプのプラットホームに適用され得る。部品は、多くの異なる方法でプラットホーム内に含まれ得る。例えば、部品は、プラットホーム内、プラットホームの外に位置し得、プラットホームの一部分として形成され得、プラットホームに対して機械的に確保され得、またはプラットホームに関連付けられる他であり得る。
【０１２７】
実施形態または選択された実施形態は、実施形態、実際の適用の原理を最もよく説明し、および普通の当業者に熟考された特定の使用に適されるようのさまざまな修正を有するさまざまな実施形態のための開示を理解することを可能にするために、選ばれまた記述される。
【図１】
2011193466.tif 000004
【図２】
2011193466.tif 000005
【図３】
2011193466.tif 000006
【図４】
2011193466.tif 000007
【図５】
2011193466.tif 000008
【図６】
2011193466.tif 000009
【図７】
2011193466.tif 000010
【図８】
2011193466.tif 000011
【図９】
2011193466.tif 000012
【図１０】
2011193466.tif 000013
【図１１】
2011193466.tif 000014
【図１２】
2011193466.tif 000015
【図１３】
2011193466.tif 000016
【図１４】
2011193466.tif 000017
【外国語明細書】
2011193466000001.pdf